(57)【要約】【課題】照明装置における光源基板と給電部材との間の電気的な接続不良の防止。【解決手段】本発明の照明装置１２は、光源２４と、光源２４が実装される光源基板２５と、光源２４に電力を供給する給電部材４３と、光源基板２５と給電部材４３とのうちの一方側に設けられ、内部に複数の嵌合空間ＩＳを有する凹状接続部５５と、光源基板２５と給電部材４３とのうちの他方側に設けられ、凹状接続部５５に嵌合されることで互いに電気的な接続が図られると共に、凹状接続部５５に対する嵌合方向と交差する方向に沿って並ぶ形で複数に分岐されてなり、嵌合空間ＩＳ毎に挿入される複数の枝部５６を有する凸状接続部５４と、凹状接続部５５の内側に設けられ、凸状接続部５４が凹状接続部５５に嵌合されるように、枝部５６の嵌合空間ＩＳに対する挿入を誘導する誘導部６０と、を備える。【選択図】図１７
2013229229.tif 000002
【特許請求の範囲】
【請求項１】
光源と、
前記光源が実装される光源基板と、
前記光源に電力を供給する給電部材と、
前記光源基板と前記給電部材とのうちの一方側に設けられ、内部に複数の嵌合空間を有する凹状接続部と、
前記光源基板と前記給電部材とのうちの他方側に設けられ、前記凹状接続部に嵌合されることで互いに電気的な接続が図られると共に、前記凹状接続部に対する嵌合方向と交差する方向に沿って並ぶ形で複数に分岐されてなり、前記嵌合空間毎に挿入される複数の枝部を有する凸状接続部と、
前記凹状接続部の内側に設けられ、前記凸状接続部が前記凹状接続部に嵌合されるように、前記枝部の前記嵌合空間に対する挿入を誘導する誘導部と、を備える照明装置。
【請求項２】
前記凹状接続部は、前記嵌合空間を取り囲む一端が開口した筒状の周壁部と、前記周壁部の開口側の端部からなり前記枝部が挿入される挿入口とを有する請求項１に記載の照明装置。
【請求項３】
前記誘導部は、前記挿入口側から前記周壁部の他端側に向かって下るように傾斜する下り傾斜面を含み、前記周壁部の内面上に盛り上がった形で設けられる誘導下り凸部からなる請求項２に記載の照明装置。
【請求項４】
前記凹状接続部は、前記周壁部の内面上に配され、前記嵌合空間に挿入された前記枝部と対向する形で接触する端子部を有し、
前記誘導部は、前記周壁部の内面のうち、前記端子部と対向する側に配される請求項３に記載の照明装置。
【請求項５】
前記凸状接続部は、前記枝部が前記嵌合空間に挿入された後に、前記誘導部を収容する収容部を含む請求項４に記載の照明装置。
【請求項６】
前記収容部は、前記誘導部と嵌合し、前記誘導部の形状に倣った凹部状をなしている請求項５に記載の照明装置。
【請求項７】
前記誘導部は、前記挿入口側から前記周壁部の他端側に向かって上るように傾斜する上り傾斜面を含み、前記周壁部の内面上に盛り上がった形で設けられる誘導上り凸部からなる請求項２に記載の照明装置。
【請求項８】
前記凹状接続部は、前記周壁部の内面上に配され、前記嵌合空間に挿入された前記枝部と対向する形で接触する端子部を有し、
前記誘導部は、前記枝部と前記端子部との対向を誘導するために、前記枝部の並び方向において、前記凸状接続部を両端から挟むように前記周壁部の内面上に配される請求項７に記載の照明装置。
【請求項９】
前記凹状接続部は、複数のものからなり、前記光源基板における前記光源の実装面上に配され、各々が前記嵌合方向と交差する方向に沿って互いに間隔を保ちつつ並べられ、
前記凸状接続部は、複数のものからなり、前記給電部材に配され、各々が前記凹状接続部と嵌合されるように、互いに間隔を保ちつつ並べられている請求項１から請求項８のいずれか一項に記載の照明装置。
【請求項１０】
前記給電部材は、長手状をなし、前記凸状接続部が長辺側の端部から外側に向かって設けられた本体部を有する請求項９に記載の照明装置。
【請求項１１】
前記凹状接続部は、前記給電部材に配され、
前記凸状接続部は、前記光源基板に配される請求項１から請求項８のいずれか一項に記載の照明装置。
【請求項１２】
前記周壁部は、合成樹脂製のハウジングからなり、
前記誘導部は、前記ハウジングの一部として一体的に形成されている請求項２から請求項１１のいずれか一項に記載の照明装置。
【請求項１３】
請求項１から請求項１２のいずれか一項に記載の照明装置と、前記照明装置からの光を利用して表示を行う表示パネルとを備える表示装置。
【請求項１４】
前記表示パネルは、一対の基板間に液晶を封入してなる液晶パネルからなる請求項１３に記載の表示装置。
【請求項１５】
請求項１３又は請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、光源と対向するようシャーシの開口部を覆う形で配されて光源が発する光を効率的に液晶パネル側へ放出させるための光学部材（拡散シート等）とを備える。上記したバックライト装置の構成部品のうち、光源として例えばＬＥＤを用いる場合があり、その場合には、シャーシ内にＬＥＤを実装したＬＥＤ基板を収容することになる。このようなＬＥＤ基板を備えたバックライト装置の一例として下記特許文献１に記載されたものが知られている。
【先行技術文献】
【特許文献】
【０００３】
【特許文献１】特開２０１２−１８８０９号公報
【発明の概要】
【発明が解決しようとする課題】
【０００４】
上記した特許文献１には、ＬＥＤ基板と、電源であるドライバ基板とが、シャーシを貫通する形で配された基板間コネクタにより接続される構造が記載されている。このようにシャーシ内に配されたＬＥＤ基板をシャーシ外に配された電源に接続するには、コネクタを用いた接続構造を用いる手法が採られているが、近年では液晶表示装置の大画面化の進行に伴い、電源に接続するＬＥＤ基板の数が多くなるとともにその接続に係る作業が煩雑なものとなる傾向にある。このため、ＬＥＤ基板側のコネクタに電源側のコネクタを接続する際に、接続不良が生じる事態が増加しており、作業効率や生産性を悪化させる要因となっていた。
【０００５】
本発明は上記のような事情に基づいて完成されたものであって、接続不良を防止することを目的とする。  
【課題を解決するための手段】
【０００６】
本発明に係る照明装置は、光源と、前記光源が実装される光源基板と、前記光源に電力を供給する給電部材と、前記光源基板と前記給電部材とのうちの一方側に設けられ、内部に複数の嵌合空間を有する凹状接続部と、前記光源基板と前記給電部材とのうちの他方側に設けられ、前記凹状接続部に嵌合されることで互いに電気的な接続が図られると共に、前記凹状接続部に対する嵌合方向と交差する方向に沿って並ぶ形で複数に分岐されてなり、前記嵌合空間毎に挿入される複数の枝部を有する凸状接続部と、前記凹状接続部の内側に設けられ、前記凸状接続部が前記凹状接続部に嵌合されるように、前記枝部の前記嵌合空間に対する挿入を誘導する誘導部と、を備える。
【０００７】
前記照明装置は、内部に複数の嵌合空間を有する凹状接続部と、この凹状接続部に嵌合されることで互いに電気的な接続が図られると共に、前記凹状接続部に対する嵌合方向と交差する方向に沿って並ぶ形で複数に分岐されてなり、前記嵌合空間毎に挿入される複数の枝部を有する凸状接続部とを備えている。前記凹状接続部は、前記光源基板と前記給電部材とのうちの一方側に設けられ、前記凸状接続部は、他方側に設けられる。前記凹状接続部の内側には、前記凸状接続部が前記凹状接続部に嵌合されるように、前記枝部の前記嵌合空間に対する挿入を誘導する誘導部が設けられている。前記照明装置では、前記誘導部を備えることによって、前記凸状接続部と前記凹状接続部とを容易に嵌合させることができる。
【０００８】
前記照明装置において、前記凹状接続部は、前記嵌合空間を取り囲む一端が開口した筒状の周壁部と、前記周壁部の開口側の端部からなり前記枝部が挿入される挿入口とを有するものであってもよい。
【０００９】
前記照明装置において、前記誘導部は、前記挿入口側から前記周壁部の他端側に向かって下るように傾斜する下り傾斜面を含み、前記周壁部の内面上に盛り上がった形で設けられる誘導下り凸部からなるものであってもよい。前記誘導部が、前記挿入口側から前記周壁部の他端側に向かって下るように傾斜する下り傾斜面を含み、前記周壁部の内面上に盛り上がった形で設けられる誘導下り凸部からなると、前記誘導部によって、前記枝部の前記嵌合空間に対する挿入角度が調整されつつ前記枝部が前記嵌合空間に誘導される。
【００１０】
前記照明装置において、前記凹状接続部は、前記周壁部の内面上に配され、前記嵌合空間に挿入された前記枝部と対向する形で接触する端子部を有し、前記誘導部は、前記周壁部の内面のうち、前記端子部と対向する側に配されることが好ましい。前記凹状接続部が、前記周壁部の内面上に配され、前記嵌合空間に挿入された前記枝部と対向する形で接触する端子部を有し、前記誘導部が、前記周壁部の内面のうち、前記端子部と対向する側に配されると、前記誘導部によって、前記枝部の前記嵌合空間に対する挿入角度が最も効果的に調整されつつ前記枝部が前記嵌合空間に誘導される。
【００１１】
前記照明装置において、前記凸状接続部は、前記枝部が前記嵌合空間に挿入された後に、前記誘導部を収容する収容部を含むものであってもよい。前記凸状接続部が、前記枝部が前記嵌合空間に挿入された後に、前記誘導部を収容する収容部を有していると、枝部が嵌合空間に挿入された後に、誘導部が枝部に対して干渉して、枝部に局所的に応力が加えられること等が抑制され、ひいては、枝部の破損等が抑制される。
【００１２】
前記照明装置において、前記収容部は、前記誘導部と嵌合し、前記誘導部の形状に倣った凹部状をなしているものであってもよい。前記収容部が、前記誘導部と嵌合し、前記誘導部の形状に倣った凹部状をなしていると、前記誘導部が前記収容部と嵌合することによって、前記誘導部を前記嵌合空間において確実に固定し、位置決めすることができる。
【００１３】
前記照明装置において、前記誘導部は、前記挿入口側から前記周壁部の他端側に向かって上るように傾斜する上り傾斜面を含み、前記周壁部の内面上に盛り上がった形で設けられる誘導上り凸部からなるものであってもよい。前記誘導部が、前記挿入口側から前記周壁部の他端側に向かって上るように傾斜する上り傾斜面を含み、前記周壁部の内面上に盛り上がった形で設けられる誘導上り凸部からなると、前記誘導部によって、前記枝部の前記嵌合空間に対する挿入個所が調整されつつ前記枝部が前記嵌合空間に誘導される。
【００１４】
前記照明装置において、前記凹状接続部は、前記周壁部の内面上に配され、前記嵌合空間に挿入された前記枝部と対向する形で接触する端子部を有し、前記誘導部は、前記枝部と前記端子部との対向を誘導するために、前記枝部の並び方向において、前記凸状接続部を両端から挟むように前記周壁部の内面上に配されるものが好ましい。前記凹状接続部が、前記周壁部の内面上に配され、前記嵌合空間に挿入された前記枝部と対向する形で接触する端子部を有し、前記誘導部が、前記枝部と前記端子部との対向を誘導するために、前記枝部の並び方向において、前記凸状接続部を両端から挟むように前記周壁部の内面上に配されると、前記誘導部によって、前記枝部と前記端子部との対向が誘導され、その結果、前記枝部の前記嵌合空間に対する挿入個所が最も効果的に調整されつつ前記枝部が前記嵌合空間に誘導される。
【００１５】
前記照明装置において、前記凹状接続部は、複数のものからなり、前記光源基板における前記光源の実装面上に配され、各々が前記嵌合方向と交差する方向に沿って互いに間隔を保ちつつ並べられ、前記凸状接続部は、複数のものからなり、前記給電部材に配され、各々が前記凹状接続部と嵌合されるように、互いに間隔を保ちつつ並べられているものであってもよい。前記凹状接続部が、複数のものからなり、前記光源基板における前記光源の実装面上に配され、各々が前記嵌合方向と交差する方向に沿って互いに間隔を保ちつつ並べられ、前記凸状接続部が、複数のものからなり、前記給電部材に配され、各々が前記凹状接続部と嵌合されるように、互いに間隔を保ちつつ並べられているものであってもよい。
【００１６】
前記照明装置において、前記給電部材は、長手状をなし、前記凸状接続部が長辺側の端部から外側に向かって設けられた本体部を有するものであってもよい。
【００１７】
前記照明装置において、前記凹状接続部は、前記給電部材に配され、前記凸状接続部は、前記光源基板に配されるものであってもよい。
【００１８】
前記照明装置において、前記周壁部は、合成樹脂製のハウジングからなり、前記誘導部は、前記ハウジングの一部として一体的に形成されているものであってもよい。このように、誘導部がハウジングからなる周壁部に一体的に形成されていると、既存の製造設備を利用して、誘導部を備えたハウジング（周壁部）を容易に製造することができる。その結果、前記ハウジング（周壁部）の製造コストを抑制することもできる。
【００１９】
本発明に係る表示装置は、上記記載の照明装置と、前記照明装置からの光を利用して表示を行う表示パネルとを備える。
【００２０】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２１】
本発明によれば、本発明によれば、接続不良を防止することができる。
【図面の簡単な説明】
【００２２】
【図１】本発明の実施形態１に係るテレビ受信装置の概略構成を示す分解斜視図
【図２】液晶表示装置の概略構成を示す分解斜視図
【図３】液晶パネルの長辺方向に沿った断面構成を示す断面図
【図４】アレイ基板の平面構成を示す拡大平面図
【図５】ＣＦ基板の平面構成を示す拡大平面図
【図６】バックライト装置を構成するシャーシにおける拡散レンズ、ＬＥＤ基板、基板保持部材及び反射シートなどの配置構成を示す平面図
【図７】液晶表示装置の短辺方向（図６のVII-VII線）に沿った断面構成を示す断面図
【図８】液晶表示装置の長辺方向（図６のVIII-VIII線）に沿った断面構成を示す断面図
【図９】バックライト装置を構成するシャーシにおけるＬＥＤ基板、給電基板及び各配線などの配置構成を示す平面図
【図１０】バックライト装置を構成するシャーシにおけるＬＥＤ駆動回路基板及び各配線などの配置構成を示す底面図
【図１１】ＬＥＤ基板の給電回路に係る電気的構成を表すブロック図
【図１２】シャーシにおけるＬＥＤ基板、給電基板及び各配線などの配置構成を示す拡大平面図
【図１３】ＬＥＤ基板のＬＥＤ基板側コネクタ、及び給電基板の給電基板側コネクタの配置構成を示す平面図
【図１４】ＬＥＤ基板のＬＥＤ基板側コネクタの正面図
【図１５】図１３のXV-XV線断面図
【図１６】図１３のXVI-XVI線断面図
【図１７】ＬＥＤ基板側コネクタが備える嵌合空間に、給電基板側コネクタが備える枝部が挿入される工程を模式的に表した説明図
【図１８】実施形態２に係るＬＥＤ基板側コネクタの正面図
【図１９】図１８のXIX-XIX線断面図
【図２０】実施形態３に係るＬＥＤ基板側コネクタの正面図
【図２１】図２０のXXI-XXI線断面図
【図２２】実施形態４に係るＬＥＤ基板のＬＥＤ基板側コネクタ、及び給電基板の給電基板側コネクタの配置関係を示す平面図
【図２３】実施形態４に係るＬＥＤ基板側コネクタの正面図
【図２４】図２２のXXIV-XXIV線断面図
【図２５】図２３のXXV-XXV線断面図
【図２６】実施形態５に係るＬＥＤ基板側コネクタの正面図
【図２７】実施形態５に係るＬＥＤ基板側コネクタ及び給電基板側コネクタのＸ軸方向に沿った断面図
【図２８】実施形態５に係るＬＥＤ基板側コネクタ及び給電基板側コネクタのＹ軸方向に沿った断面図
【図２９】実施形態６に係る中継コネクタ及びＬＥＤ基板の平面図
【図３０】図２９のXXX-XXX線断面図
【図３１】実施形態７に係るシャーシにおけるＬＥＤ基板、給電基板及び各配線などの配置構成を示す平面図
【図３２】本発明の他の実施形態（１）に係るシャーシにおけるＬＥＤ基板、給電基板及び各配線などの配置構成を示す平面図
【図３３】ＬＥＤ基板の給電回路に係る電気的構成を表すブロック図
【図３４】本発明の他の実施形態（２）に係るシャーシにおけるＬＥＤ基板、給電基板及び各配線などの配置構成を示す平面図
【図３５】ＬＥＤ基板の給電回路に係る電気的構成を表すブロック図
【発明を実施するための形態】
【００２３】
＜実施形態１＞
本発明の実施形態１を図１から図１７によって説明する。本実施形態では、液晶表示装置１０について例示する。なお、各図面の一部にはＸ軸、Ｙ軸及びＺ軸を示しており、各軸方向が各図面で示した方向となるように描かれている。また、図７及び図８に示す上側を表側とし、同図下側を裏側とする
【００２４】
（テレビ受信装置）
本実施形態に係るテレビ受信装置ＴＶは、図１に示すように、表示装置である液晶表示装置１０と、当該液晶表示装置１０を挟むようにして収容する表裏両キャビネットＣａ，Ｃｂと、電力供給のための電源回路基板Ｐと、テレビ画像信号を受信可能なチューナー（受信部）Ｔと、チューナーＴから出力されたテレビ画像信号を当該液晶表示装置１０用の画像信号に変換する画像変換回路基板ＶＣと、スタンドＳとを備えて構成される。液晶表示装置１０は、全体として横長（長手）の方形状（矩形状）をなし、長辺方向を水平方向（Ｘ軸方向）と、短辺方向を垂直方向（Ｙ軸方向、鉛直方向）とそれぞれほぼ一致させた状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２５】
（液晶パネル）
液晶表示装置１０における液晶パネル１１の構成について説明する。液晶パネル１１は、全体として横長（長手）の方形状（矩形状）をなしており、図３に示すように、一対の透明な（透光性を有する）ガラス製の基板１１ａ，１１ｂと、両基板１１ａ，１１ｂ間に介在し、電界印加に伴って光学特性が変化する物質である液晶を含む液晶層１１ｃとを備え、両基板１１ａ，１１ｂが液晶層の厚さ分のギャップを維持した状態で図示しないシール剤によって貼り合わせられている。また、両基板１１ａ，１１ｂの外面側には、それぞれ偏光板１１ｄ，１１ｅが貼り付けられている。なお、液晶パネル１１における長辺方向がＸ軸方向と一致し、短辺方向がＹ軸方向と一致している。
【００２６】
両基板１１ａ，１１ｂのうち表側（正面側）がＣＦ基板１１ａとされ、裏側（背面側）がアレイ基板１１ｂとされる。アレイ基板１１ｂの内面、つまり液晶層１１ｃ側（ＣＦ基板１１ａとの対向面側）の面には、図４に示すように、スイッチング素子であるＴＦＴ（Thin Film Transistor）１４及び画素電極１５がマトリクス状（行列状）に多数個並列して設けられるとともに、これらＴＦＴ１４及び画素電極１５の周りには、格子状をなすゲート配線１６及びソース配線１７が取り囲むようにして配設されている。画素電極１５は、長辺方向をＹ軸方向に、短辺方向をＸ軸方向にそれぞれ一致させた縦長（長手）の方形状（矩形状）をなしており、ＩＴＯ（Indium Tin Oxide）或いはＺｎＯ（Zinc Oxide）といった透明電極からなる。ゲート配線１６とソース配線１７とがそれぞれＴＦＴ１４のゲート電極とソース電極とに接続され、画素電極１５がＴＦＴ１４のドレイン電極に接続されている。また、ＴＦＴ１４及び画素電極１５の液晶層１１ｃ側には、図３に示すように、液晶分子を配向するための配向膜１８が設けられている。アレイ基板１１ｂにおける端部には、ゲート配線１６及びソース配線１７から引き回された端子部が形成されており、この端子部には、図示しない液晶駆動用のドライバ部品が異方性導電膜（ACF:Anisotropic Conductive Film）を介して圧着接続され、さらにはその液晶駆動用のドライバ部品が各種配線基板などを介して図示しない表示制御回路基板に電気的に接続されている。この表示制御回路基板は、テレビ受信装置ＴＶにおける画像変換回路基板ＶＣ（図１参照）に接続されるとともに同画像変換回路基板ＶＣからの出力信号に基づいてドライバ部品を介して各配線１６，１７に駆動信号を供給するものとされる。
【００２７】
一方、ＣＦ基板１１ａの内面、つまり液晶層１１ｃ側（アレイ基板１１ｂとの対向面側）の面には、図５に示すように、アレイ基板１１ｂ側の各画素に対応して多数個の着色部Ｒ，Ｇ，Ｂ，Ｙをマトリクス状（行列状）に配列してなるカラーフィルタ１９が設けられている。そして、本実施形態に係るカラーフィルタ１９は、光の三原色である赤色の着色部Ｒ，緑色の着色部Ｇ，青色の着色部Ｂに加えて、黄色の着色部Ｙを有するものとされ、各着色部Ｒ，Ｇ，Ｂ，Ｙが対応した各色（各波長）の光を選択的に透過するものとされる。各着色部Ｒ，Ｇ，Ｂ，Ｙは、画素電極１５と同様に長辺方向をＹ軸方向に、短辺方向をＸ軸方向にそれぞれ一致させた縦長（長手）の方形状（矩形状）をなしている。各着色部Ｒ，Ｇ，Ｂ，Ｙ間には、混色を防ぐため、格子状の遮光層（ブラックマトリクス）ＢＭが設けられている。ＣＦ基板１１ａにおけるカラーフィルタ１９の液晶層１１ｃ側には、図３に示すように、対向電極２０及び配向膜２１が順次積層して設けられている。
【００２８】
カラーフィルタ１９を構成する各着色部Ｒ，Ｇ，Ｂ，Ｙの配置及び大きさについて詳しく説明する。各着色部Ｒ，Ｇ，Ｂ，Ｙは、図５に示すように、Ｘ軸方向を行方向とし、Ｙ軸方向を列方向として行列状に配列されており、各着色部Ｒ，Ｇ，Ｂ，Ｙにおける列方向（Ｙ軸方向）の寸法は全て同一とされるものの、行方向（Ｘ軸方向）の寸法については各着色部Ｒ，Ｇ，Ｂ，Ｙによって異なるものとされる。詳しくは、各着色部Ｒ，Ｇ，Ｂ，Ｙは、図５に示す左側から赤色の着色部Ｒ、緑色の着色部Ｇ、青色の着色部Ｂ、黄色の着色部Ｙの順で行方向に沿って並べられており、このうち赤色の着色部Ｒ及び青色の着色部Ｂの行方向の寸法が、黄色の着色部Ｙ及び緑色の着色部Ｇの行方向の寸法よりも相対的に大きなものとされる。つまり、行方向の寸法が相対的に大きな着色部Ｒ，Ｂと、行方向の寸法が相対的に小さな着色部Ｇ，Ｙとが行方向について交互に繰り返し配されていることになる。これにより、赤色の着色部Ｒ及び青色の着色部Ｂの面積は、緑色の着色部Ｇ及び黄色の着色部Ｙの面積よりも大きなものとされている。青色の着色部Ｂと赤色の着色部Ｒとの面積は、互いに等しいものとされる。同様に緑色の着色部Ｇと黄色の着色部Ｙとの面積は、互いに等しいものとされる。なお、図３及び図５では、赤色の着色部Ｒ及び青色の着色部Ｂの面積が、黄色の着色部Ｙ及び緑色の着色部Ｇの面積の約１．６倍程度とされる場合を代表して図示しているが、この面積比率の具体的な数値は適宜に変更可能である。
【００２９】
カラーフィルタ１９が上記のような構成とされるのに伴い、アレイ基板１１ｂにおいては、図４に示すように、画素電極１５における行方向（Ｘ軸方向）の寸法が列によって異なるものとされる。すなわち、各画素電極１５のうち、赤色の着色部Ｒ及び青色の着色部Ｂと重畳するものの行方向の寸法及び面積は、黄色の着色部Ｙ及び緑色の着色部Ｇと重畳するものの行方向の寸法及び面積よりも相対的に大きなものとされる。また、ゲート配線１６については、全て等ピッチで配列されているのに対し、ソース配線１７については、画素電極１５の行方向の寸法に応じて２通りのピッチで配列されている。
【００３０】
上記のように本実施形態に係る液晶表示装置１０は、４色の着色部Ｒ，Ｇ，Ｂ，Ｙからなるカラーフィルタ１９を備える液晶パネル１１を用いていることから、図１に示すように、テレビ受信装置ＴＶにおいては専用の画像変換回路基板ＶＣを備えるものとされる。すなわち、この画像変換回路基板ＶＣは、チューナーＴから出力されたテレビ画像信号を青色、緑色、赤色、黄色の各色の画像信号に変換し、生成された各色の画像信号を表示制御回路基板に出力することができる。この画像信号に基づいて表示制御回路基板は、各配線１６，１７を介して液晶パネル１１における各色の画素に対応したＴＦＴ１４を駆動し、各色の着色部Ｒ，Ｇ，Ｂ，Ｙを透過する透過光量を適宜制御できるものとされる。
【００３１】
（バックライト装置）
続いて、液晶表示装置１０におけるバックライト装置１２の構成について説明する。バックライト装置１２は、図２に示すように、光出射面側（液晶パネル１１側）に開口する光出射部を有した略箱型をなすシャーシ２２と、シャーシ２２の光出射部を覆うようにして配される光学部材２３群と、シャーシ２２の外縁部に沿って配され光学部材２３群の外縁部をシャーシ２２との間で挟んで保持するフレーム２６とを備える。さらに、シャーシ２２内には、光学部材２３（液晶パネル１１）の直下となる位置に対向状に配されるＬＥＤ２４と、ＬＥＤ２４が実装されたＬＥＤ基板２５と、ＬＥＤ基板２５においてＬＥＤ２４に対応した位置に取り付けられる拡散レンズ２７とが備えられる。このように、本実施形態に係るバックライト装置１２は、いわゆる直下型とされる。その上、シャーシ２２内には、ＬＥＤ基板２５をシャーシ２２との間で保持することが可能な基板保持部材２８と、シャーシ２２内の光を光学部材２３側に反射させる反射シート２９とが備えられる。さらには、シャーシ２２の裏面側（液晶パネル１１側とは反対側）には、ＬＥＤ２４に駆動電力を供給するためのＬＥＤ駆動回路基板３０が取り付けられている。続いて、バックライト装置１２の各構成部品について詳しく説明する。
【００３２】
（シャーシ）
シャーシ２２は、金属製とされ、図６から図８に示すように、液晶パネル１１と同様に横長な方形状（矩形状、長方形状）をなす底板２２ａと、底板２２ａの各辺（一対の長辺及び一対の短辺）の外端からそれぞれ表側（光出射側）に向けて立ち上がる側板２２ｂと、各側板２２ｂの立ち上がり端から外向きに張り出す受け板２２ｃとからなり、全体としては表側に向けて開口した浅い略箱型（略浅皿状）をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム２６及び次述する光学部材２３が載置可能とされる。各受け板２２ｃには、フレーム２６がねじ止めされている。シャーシ２２の底板２２ａには、基板保持部材２８を取り付けるための取付孔が開口して設けられている。取付孔は、底板２２ａにおいて基板保持部材２８の取付位置に対応して複数分散配置されている。
【００３３】
（光学部材）
光学部材２３は、図２に示すように、液晶パネル１１及びシャーシ２２と同様に平面に視て横長の方形状をなしている。光学部材２３は、図７及び図８に示すように、その外縁部が受け板２２ｃに載せられることで、シャーシ２２の光出射部を覆うとともに、液晶パネル１１とＬＥＤ２４（ＬＥＤ基板２５）との間に介在して配される。光学部材２３は、裏側（ＬＥＤ２４側、光出射側とは反対側）に配される拡散板２３ａと、表側（液晶パネル１１側、光出射側）に配される光学シート２３ｂとから構成される。拡散板２３ａは、所定の厚みを持つほぼ透明な樹脂製で板状をなす基材内に拡散粒子を多数分散して設けた構成とされ、透過する光を拡散させる機能を有する。光学シート２３ｂは、拡散板２３ａと比べると板厚が薄いシート状をなしており、２枚が積層して配されている。具体的な光学シート２３ｂの種類としては、例えば拡散シート、レンズシート、反射型偏光シートなどがあり、これらの中から適宜に選択して使用することが可能である。なお、使用する光学シート２３ｂの枚数や種類は、上記以外にも適宜に変更可能である。
【００３４】
（フレーム）
フレーム２６は、図２に示すように、液晶パネル１１及び光学部材２３の外周縁部に沿う枠状をなしている。このフレーム２６と各受け板２２ｃとの間で光学部材２３における外縁部を挟持可能とされている（図７及び図８）。また、このフレーム２６は、液晶パネル１１における外縁部を裏側から受けることができ、表側に配されるベゼル１３との間で液晶パネル１１の外縁部を挟持可能とされる（図７及び図８）。
【００３５】
（ＬＥＤ）
ＬＥＤ２４は、図８に示すように、ＬＥＤ基板２５上に実装されるとともにＬＥＤ２４に対する実装面とは反対側の面が発光面となる、いわゆる頂面発光型とされる。ＬＥＤ２４は、発光源として青色光を発するＬＥＤチップを備えるとともに、青色光により励起して発光する蛍光体として、緑色蛍光体と赤色蛍光体とを備えている。詳しくは、ＬＥＤ２４は、ＬＥＤ基板２５に固着される基板部上に例えばＩｎＧａＮ系の材料からなるＬＥＤチップを樹脂材により封止した構成とされる。基板部に実装されるＬＥＤチップは、主発光波長が４２０ｎｍ〜５００ｎｍの範囲、つまり青色の波長領域に存するものとされ、色純度に優れた青色光（青色の単色光）を発することが可能とされる。具体的なＬＥＤチップの主発光波長としては、例えば４５１ｎｍが好ましい。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ２４は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ２４は、ＬＥＤチップからの青色成分の光と、黄色成分の光とを併せ持っている、とも言える。このＬＥＤ２４の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ２４の色度を調整することが可能とされる。なお、本実施形態では、緑色蛍光体は、５００ｎｍ以上５７０ｎｍ以下の緑色波長領域に主発光ピークを有するものとされ、赤色蛍光体は、６００ｎｍ以上７８０ｎｍ以下の赤色波長領域に主発光ピークを有するものとされる。
【００３６】
続いて、ＬＥＤ２４に備えられる緑色蛍光体及び赤色蛍光体について詳しく説明する。緑色蛍光体としては、サイアロン系蛍光体の一種であるβ−ＳｉＡｌＯＮを用いるのが好ましい。サイアロン系蛍光体は、窒化ケイ素のシリコン原子の一部がアルミニウム原子に、窒素原子の一部が酸素原子に置換された物質、つまり窒化物である。窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。サイアロン系蛍光体には、付活剤として希土類元素（例えばＴｂ，Ｙｇ，Ａｇなど）が用いられる。サイアロン系蛍光体の一種であるβ−ＳｉＡｌＯＮは、β型窒化ケイ素結晶にアルミニウムと酸素とが固溶した一般式Ｓｉ６−ＺＡｌｚＯｚＮ８−ｚ：Ｅｕ（ｚは固溶量を示す）または（Ｓｉ，Ａｌ）6（Ｏ，Ｎ）8：Ｅｕにより表される物質である。本実施形態に係るβ−ＳｉＡｌＯＮには、付活剤として例えばＥｕ（ユーロピウム）が用いられており、それにより発光光である緑色光の色純度が特に高いものとされるので、ＬＥＤ２４の色度を調整する上で極めて有用である。一方、赤色蛍光体としては、カズン系蛍光体の一種であるカズンを用いるのが好ましい。カズン系蛍光体は、カルシウム原子（Ｃａ）、アルミニウム原子（Ａｌ）、ケイ素原子（Ｓｉ）、窒素原子（Ｎ）を含む窒化物であり、例えば硫化物や酸化物などからなる他の蛍光体に比べると、発光効率に優れるとともに耐久性に優れている。カズン系蛍光体は、付活剤として希土類元素（例えばＴｂ，Ｙｇ，Ａｇなど）が用いられる。カズン系蛍光体の一種であるカズンは、付活剤としてＥｕ（ユーロピウム）が用いられるとともに、組成式ＣａＡｌＳｉＮ３：Ｅｕにより示される。
【００３７】
（ＬＥＤ基板）
ＬＥＤ基板２５は、図６に示すように、平面に視て横長の方形状をなす基材を有しており、長辺方向がＸ軸方向と一致し、短辺方向がＹ軸方向と一致する状態でシャーシ２２内において底板２２ａに沿って延在しつつ収容されている。このＬＥＤ基板２５の基材の板面のうち、表側を向いた板面（光学部材２３側を向いた面）には、ＬＥＤ２４が表面実装されている。実装されたＬＥＤ２４は、その発光面が光学部材２３（液晶パネル１１）と対向状をなすとともに、その光軸がＺ軸方向、つまり液晶パネル１１の表示面と直交する方向と一致している。ＬＥＤ基板２５には、その長辺方向（Ｘ軸方向）に沿って複数（例えば、図６では１０個）のＬＥＤ２４が直線的に並んで配されるとともに、並列されたＬＥＤ２４に接続される配線パターン２５ｂ（図１１を参照）が形成されている。各ＬＥＤ２４の配列ピッチは、ほぼ一定となっており、つまり各ＬＥＤ２４は、Ｘ軸方向についてほぼ等間隔に配列されていると言える。
【００３８】
上記した構成のＬＥＤ基板２５は、図６に示すように、シャーシ２２内においてＸ軸方向及びＹ軸方向にそれぞれ複数ずつ、互いに長辺方向及び短辺方向を揃えた状態で並列して配置されている。つまり、ＬＥＤ基板２５及びそこに実装されたＬＥＤ２４は、シャーシ２２内において共にＸ軸方向（シャーシ２２及びＬＥＤ基板２５の長辺方向）を行方向とし、Ｙ軸方向（シャーシ２２及びＬＥＤ基板２５の短辺方向）を列方向として行列状に配置（マトリクス状に配置、平面配置）されている。具体的には、ＬＥＤ基板２５は、シャーシ２２内においてＸ軸方向（行方向）に２枚ずつ、Ｙ軸方向（列方向）に９枚ずつ、合計１８枚が行列状に並列して配置されている。ＬＥＤ基板２５は、Ｙ軸方向について配列ピッチがほぼ等しい等ピッチ配列とされており、言い換えるとほぼ等間隔に配されている。また、ＬＥＤ基板２５のうち基板保持部材２８の取付位置に対応する位置には、基板保持部材２８を通すための貫通孔２５ａが形成されている（図７及び図８）。
【００３９】
また、ＬＥＤ基板２５の基材は、合成樹脂材料（具体的には紙フェノールまたはガラスエポキシ樹脂など）からなるものとされ、その表面に金属膜（具体的には銅箔など）からなる配線パターン２５ｂが形成され、さらには最外表面には、光の反射性に優れた白色を呈する反射層（図示せず）が形成された構成とされる。なお、ＬＥＤ基板２５の基材に用いる材料としては、金属材料（例えばアルミニウムなど）を用いることも可能である。
【００４０】
（拡散レンズ）
拡散レンズ２７は、ほぼ透明で（高い透光性を有し）且つ屈折率が空気よりも高い合成樹脂材料（例えばポリカーボネートやアクリルなど）からなる。拡散レンズ２７は、図６及び図８に示すように、所定の厚みを有するとともに、平面に視て略円形状に形成されており、ＬＥＤ基板２５に対して各ＬＥＤ２４を表側から個別に覆うよう、つまり平面に視て各ＬＥＤ２４と重畳するようそれぞれ取り付けられている。そして、この拡散レンズ２７は、ＬＥＤ２４から発せられた指向性の強い光を拡散させつつ出射させることができる。つまり、ＬＥＤ２４から発せられた光は、拡散レンズ２７を介することにより指向性が緩和されるので、隣り合うＬＥＤ２４間の間隔を広くとってもその間の領域が暗部として視認され難くなる。これにより、ＬＥＤ２４の設置個数を少なくすることが可能となっている。この拡散レンズ２７は、平面に視てＬＥＤ２４とほぼ同心となる位置に配されている。なお、図７では、基板保持部材２８の断面構成を図示しているため、拡散レンズ２７については紙面奥側に配されたものの側面が図示されている。
【００４１】
（基板保持部材）
基板保持部材２８について説明する。基板保持部材２８は、ポリカーボネートなどの合成樹脂製とされており、表面が光の反射性に優れた白色を呈する。基板保持部材２８は、図６から図８に示すように、ＬＥＤ基板２５の板面に沿う本体部２８ａと、本体部２８ａから裏側、つまりシャーシ２２側に向けて突出してシャーシ２２に固定される固定部２８ｂとを備える。本体部２８ａは、平面に視て略円形の板状をなすとともに、シャーシ２２の底板２２ａとの間で少なくともＬＥＤ基板２５を挟持可能とされる。固定部２８ｂは、ＬＥＤ基板２５及びシャーシ２２の底板２２ａにおける基板保持部材２８の取付位置に対応してそれぞれ形成された挿通孔２５ａ及び取付孔を貫通しつつ底板２２ａに対して係止可能とされる。この基板保持部材２８は、図６に示すように、ＬＥＤ基板２５の面内において複数が適宜に分散配置されており、Ｘ軸方向について拡散レンズ２７（ＬＥＤ２４）に対して隣り合う位置に配されている。
【００４２】
なお、基板保持部材２８には、図６及び図８に示すように、本体部２８ａとシャーシ２２の底板２２ａとの間で反射シート２９の底部２９ａを介することなくＬＥＤ基板２５を挟持するもの（第１基板保持部材）と、本体部２８ａとシャーシ２２の底板２２ａとの間でＬＥＤ基板２５と共に反射シート２９の底部２９ａを挟持するもの（第２基板保持部材）との２種類が含まれている。このうち、ＬＥＤ基板２５と共に反射シート２９の底部２９ａを挟持する基板保持部材２８（第２基板保持部材）には、本体部２８ａから表側に突出する支持部２８ｃが設けられたものと、支持部２８ｃを有さないものとの２種類が含まれている。この支持部２８ｃは、光学部材２３（直接的には拡散板２３ａ）を裏側から支持することが可能とされ、それによりＬＥＤ２４と光学部材２３とのＺ軸方向の位置関係を一定に維持することができるとともに光学部材２３の不用意な変形を規制することができる。
【００４３】
（反射シート）
反射シート２９は、合成樹脂製とされ、表面が光の反射性に優れた白色を呈するものとされる。反射シート２９は、図６から図８に示すように、シャーシ２２の内面のほぼ全域にわたって敷設される大きさを有しているので、シャーシ２２内に並列して配された全ＬＥＤ基板２５を表側から一括して覆うことが可能とされる。この反射シート２９によりシャーシ２２内の光を光学部材２３側に向けて効率的に立ち上げることができる。反射シート２９は、シャーシ２２の底板２２ａに沿って延在するとともに底板２２ａの大部分を覆う大きさの底部２９ａと、底部２９ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。この反射シート２９の底部２９ａが各ＬＥＤ基板２５における表側の面、つまりＬＥＤ２４の実装面に対して表側に重なるよう配される。また、反射シート２９の底部２９ａには、各拡散レンズ２７（各ＬＥＤ２４）と平面視重畳する位置に各拡散レンズ２７を挿通するレンズ挿通孔が開口して設けられている。
【００４４】
また、底部２９ａには、各基板保持部材２８と平面視重畳する位置に固定部２８ｂを通すための保持部材挿通孔が開口して設けられており、特に底部２９ａを介することなくＬＥＤ基板２５を保持する基板保持部材２８（第１基板保持部材）に対応する保持部材挿通孔については、その本体部２８ａをも通すことが可能な大きさとされている。これにより、シャーシ２２内に収容したＬＥＤ基板２５を予め上記基板保持部材２８（第１基板保持部材）によってシャーシ２２の底板２２ａに保持させることができ、その後反射シート２９をシャーシ２２内に敷設する際に、底部２９ａが上記基板保持部材２８（第１基板保持部材）の本体部２８ａに乗り上げることが回避される。なお、底部２９ａは、シャーシ２２内に敷設された後に取り付けられる基板保持部材２８（第２基板保持部材）によってＬＥＤ基板２５と共にシャーシ２２に保持されて浮きや撓みが生じ難いものとされる。
【００４５】
（液晶パネルの４原色化、及びカラーフィルタの着色部の面積比率を異ならせることの意義）
なお、既述した通り本実施形態に係る液晶パネル１１のカラーフィルタ１９は、図３及び図５に示すように、光の３原色である各着色部Ｒ，Ｇ，Ｂに加えて黄色の着色部Ｙを有しているので、透過光により表示される表示画像の色域が拡張されており、もって色再現性に優れた表示を実現できるものとされる。しかも、黄色の着色部Ｙを透過した光は、視感度のピークに近い波長を有することから、人間の目には少ないエネルギーでも明るく知覚される傾向とされる。これにより、バックライト装置１２が有するＬＥＤ２４の出力を抑制しても十分な輝度を得ることができることとなり、ＬＥＤ２４の消費電力を低減でき、もって環境性能にも優れる、といった効果が得られる。
【００４６】
その一方、上記のような４原色タイプの液晶パネル１１を用いると、液晶パネル１１の表示画像が全体として黄色味を帯び易くなる傾向とされる。これを回避するため、本実施形態に係るバックライト装置１２では、ＬＥＤ２４における色度が黄色の補色である青色気味に調整されており、それにより表示画像における色度を補正するようにしている。このこともあって、既述したようにバックライト装置１２が有するＬＥＤ２４は、主発光波長が青色の波長領域に存するものとされ、青色の波長領域に存する光の発光強度が最も高いものとされている。
【００４７】
上記のようにＬＥＤ２４における色度を調整するに際しては、その色度を白色から青色に近づけるほど、その発光光の輝度が低下する傾向にあることが本願発明者の研究により判明した。そこで、本実施形態においては、カラーフィルタ１９を構成する青色の着色部Ｂの面積比率を緑色の着色部Ｇ及び黄色の着色部Ｙよりも相対的に大きくするようにしており、それによりカラーフィルタ１９の透過光に、黄色の補色である青色光をより多く含ませることができる。これにより、表示画像の色度を補正すべくＬＥＤ２４の色度を調整する上で、ＬＥＤ２４の色度をそれほど青色気味に調整する必要がなくなり、もって色度調整に伴うＬＥＤ２４の輝度低下が抑制することが可能とされる。
【００４８】
さらには、本願発明者等の研究によれば、４原色タイプの液晶パネル１１を用いると、液晶パネル１１の出射光のうち特に赤色光の明度が低下することが判明している。これは、４原色タイプの液晶パネル１１では、３原色タイプのものに比べると、１つの画素を構成するサブ画素が３つから４つに増加するため、個々のサブ画素の面積は減少し、それに起因して特に赤色光の明度が低下している、と推考される。そこで、本実施形態においては、カラーフィルタ１９を構成する赤色の着色部Ｒの面積比率を緑色の着色部Ｇ及び黄色の着色部Ｙよりも相対的に大きくするようにしており、それによりカラーフィルタ１９の透過光に赤色光をより多く含ませることができ、もってカラーフィルタ１９の４色化に伴って生じる赤色光の明度低下を抑制することができる。
【００４９】
（ＬＥＤ基板の給電回路）
続いて、ＬＥＤ基板２５の給電回路の概略について説明する。上記したようにシャーシ２２内に収容されたＬＥＤ基板２５に実装されている各ＬＥＤ２４には、図１１に示すように、シャーシ２２外に配されたＬＥＤ駆動回路基板（電源基板）３０からの電力が、各配線３１〜３３及び一対の給電基板４３などを介して供給されることで、その駆動が制御されるようになっている。なお、ＬＥＤ駆動回路基板３０は、当該液晶表示装置１０の電力供給源である電源回路基板Ｐ（図１参照）に接続されるとともに電力の供給を受けるものとされている。
【００５０】
上記した各配線３１〜３３には、図９及び図１１に示すように、ＬＥＤ駆動回路基板３０の正極側と一方の給電基板４３（正極側給電基板４７）とを電気的に接続する正極側配線３１と、ＬＥＤ駆動回路基板３０の負極側と他方の給電基板４３（負極側給電基板４８）とを電気的に接続する負極側配線３２と、一対の給電基板４３（正極側給電基板４７及び負極側給電基板４８）同士を電気的に接続する中継配線３３とが含まれている。上記した給電基板４３には、正極側配線３１及び中継配線３３に電気的に接続される正極側給電基板４７と、負極側配線３２及び中継配線３３に電気的に接続される負極側給電基板４８とが含まれている。そして、シャーシ２２内においてＸ軸方向について隣り合う一対のＬＥＤ基板２５には、正極側給電基板４７が電気的に接続される正極側ＬＥＤ基板３４と、負極側給電基板４８が電気的に接続される負極側ＬＥＤ基板３５とが含まれている。つまり、ＬＥＤ基板２５は、Ｘ軸方向（水平方向）について図９及び図１１に示す左右に隣り合う一対のものが１つの組を構成しており、この組をなす正極側ＬＥＤ基板３４及び負極側ＬＥＤ基板３５上のＬＥＤ２４群が各配線３１〜３３及び各給電基板４７，４８によってＬＥＤ駆動回路基板３０に対して直列に接続されている。正極側ＬＥＤ基板３４及び負極側ＬＥＤ基板３５は、シャーシ２２内においてそれぞれＹ軸方向に沿って複数（図９では９つ）ずつ並んで配されており、９つの組を構成している。つまり、ＬＥＤ基板２５に対する給電回路は、Ｙ軸方向に沿って並ぶ各ＬＥＤ基板２５の組毎に独立しており、全部で９つの系統が存在している。その上で、正極側給電基板４７は、Ｙ軸方向に沿って並ぶ複数の正極側ＬＥＤ基板３４に対して一括して接続されるのに対し、負極側給電基板４８は、Ｙ軸方向に沿って並ぶ複数の負極側ＬＥＤ基板３５に対して一括して接続されている。なお、図９では、基板保持部材２８の図示を省略している。また、図１１では、シャーシ２２内においてＸ軸方向に沿って並ぶ一対で一組のＬＥＤ基板２５のみを代表して図示している。
【００５１】
（ＬＥＤ駆動回路基板）
ＬＥＤ駆動回路基板３０は、図１０に示すように、シャーシ２２の底板２２ａにおける裏側、つまりＬＥＤ基板２５が配された面とは反対側の面に取り付けられている。言い換えると、ＬＥＤ駆動回路基板３０は、ＬＥＤ基板２５との間でシャーシ２２の底板２２ａを表裏から挟み込んでいることになる。ＬＥＤ駆動回路基板３０には、後述する正極側配線３１の正極側電源基板用配線コネクタ３９が嵌合接続される正極側電源基板コネクタ３０ａと、負極側配線３２の負極側電源基板用配線コネクタ４０が嵌合接続される負極側電源基板コネクタ３０ｂとが設けられている。正極側電源基板コネクタ３０ａには、図１１に示すように、正極側電源端子部３０ｃが内蔵されているのに対し、負極側電源基板コネクタ３０ｂには、負極側電源端子部３０ｄが内蔵されている。これら正極側電源端子部３０ｃ及び負極側電源端子部３０ｄは、後述する正極側配線３１及び負極側配線３２と同数ずつ備えられており、その数は後述する給電回路の系統数（Ｙ軸方向に沿って並ぶＬＥＤ基板２５の組数）と一致している。さらには、ＬＥＤ駆動回路基板３０には、上記した正極側電源端子部３０ｃと負極側電源端子部３０ｄとの間に所定の電圧を付与することで、各ＬＥＤ基板２５が備えるＬＥＤ２４に直流電流を供給してこれらを駆動するＬＥＤ駆動部３０ｅが備えられている。このＬＥＤ駆動部３０ｅは、正極側電源端子部３０ｃ及び負極側電源端子部３０ｄの組（給電回路の系統）毎に異なる電圧を付与することが可能とされている。なお、ＬＥＤ駆動回路基板３０は、図１０に示すように、シャーシ２２において鉛直方向について上側に偏心した位置で、且つ水平方向について図１０に示す左側（後述する負極側ＬＥＤ基板３５側）に偏心した位置に配されている。
【００５２】
（配線挿通孔）
上記したＬＥＤ駆動回路基板３０及びＬＥＤ基板２５は、図９及び図１０に示すように、シャーシ２２の底板２２ａを挟んで互いに反対側に配されていることから、シャーシ２２の底板２２ａには、これらを接続する正極側配線３１及び負極側配線３２を通すための配線挿通孔３６が貫通形成されている。配線挿通孔３６は、シャーシ２２の底板２２ａにおける外縁部に一対配されており、詳しくは底板２２ａのうち鉛直方向の上側における両角部近傍にそれぞれ配されている。一対の配線挿通孔３６のうち、一方（図９に示す左側、図１０に示す右側）の配線挿通孔３６が正極側配線３１のみを挿通するのに対し、他方（図９に示す右側、図１０に示す左側）の配線挿通孔３６が負極側配線３２のみを挿通するものとされる。一対の配線挿通孔３６のうち正極側配線３１専用のものは、シャーシ２２の底板２２ａにおいて、Ｘ軸方向について正極側給電基板４７側の端部に配されているのに対し、負極側配線３２専用のものは、シャーシ２２の底板２２ａにおいて、Ｘ軸方向について負極側給電基板４８側の端部に配されている。
【００５３】
（配線保護部材及び配線保持部材）
さらには、底板２２ａには、配線挿通孔３６の孔縁を取り囲む形の配線保護部材３７が取り付けられている。配線保護部材３７は、合成樹脂製とされており、配線挿通孔３６の孔縁を全周にわたって覆うとともにその孔縁を表裏から挟み込むことでシャーシ２２に対して取り付け状態に保持されている。配線保護部材３７には、配線挿通孔３６と平面に視て重畳するとともに配線挿通孔３６よりも一回り小さな開口部３７ａが形成されており、各配線３１，３２はこの開口部３７ａを通されることで、シャーシ２２の内外を行き来することができる。また、シャーシ２２の底板２２ａには、各配線３１〜３３の配索経路上（シャーシ２２の外縁部）に位置するとともにそこに存在する各配線３１〜３３を束ねた状態に保持する配線保持部材３８が設けられている。配線保持部材３８は、合成樹脂製で開閉可能なバンド状をなしており、各配線３１〜３３の配索経路においてほぼ等間隔に複数分散配置され、シャーシ２２の外縁部に取り付けられている。配線保持部材３８は、シャーシ２２の底板２２ａの内面（ＬＥＤ基板２５が配された面）側と、外面（ＬＥＤ駆動回路基板３０が配された面）側とにそれぞれ配されている。
【００５４】
（各配線）
次に、各配線３１〜３３についてその概略を説明する。各配線３１〜３３は、図９に示すように、いずれも給電回路の系統数と同数本ずつの被覆電線を有しており、一纏めに束ねられた状態でシャーシ２２の外縁部に位置するよう配されている。詳しくは、各配線３１〜３３は、シャーシ２２内においては、長辺側の側板２２ｂと、長辺側の側板２２ｂに隣り合うＬＥＤ基板２５との間に保有されるＸ軸方向に沿った間隙を利用して配索されるとともに、反射シート２９における傾斜状をなす長辺側の各立ち上がり部２９ｂによって全域にわたって表側から覆われている（図６及び図９を参照）。各配線３１〜３３のうち、正極側配線３１及び負極側配線３２は、シャーシ２２のうち図９に示す上側の外縁部に配されるのに対し、中継配線３３は、シャーシ２２のうち図９に示す下側、つまり正極側配線３１及び負極側配線３２とは反対側の外縁部に配されている。各配線３１〜３３の両端末には、それぞれ配線コネクタ３９〜４２，５２，５３が設けられており、これら各配線コネクタ３９〜４２，５２，５３が対応するＬＥＤ駆動回路基板３０の各電源基板コネクタ３０ａ，３０ｂまたは後述する給電基板４３の各配線用給電基板コネクタ４９〜５１に対して嵌合接続可能とされている。以下、各配線３１〜３３及び各配線コネクタ３９〜４２，５２，５３について個別に詳しく説明する。
【００５５】
（各配線コネクタ）
先に各配線コネクタ３９〜４２，５２，５３について説明する。正極側配線３１における一方の端末には、図１０に示すように、ＬＥＤ駆動回路基板３０における正極側電源基板コネクタ３０ａに嵌合接続される正極側電源基板用配線コネクタ３９が設けられている。正極側電源基板用配線コネクタ３９には、図１１に示すように、正極側配線３１の一端側に接続された正極側配線端子部３９ａが内蔵されており、この正極側配線端子部３９ａが正極側電源基板コネクタ３０ａ内の正極側電源端子部３０ｃに導通接触可能とされる。これに対して、負極側配線３２における一方の端末には、ＬＥＤ駆動回路基板３０における負極側電源基板コネクタ３０ｂに嵌合接続される負極側電源基板用配線コネクタ４０が設けられている。負極側電源基板用配線コネクタ４０には、負極側配線３２の一端側に接続された負極側配線端子部４０ａが内蔵されており、この負極側配線端子部４０ａが負極側電源基板コネクタ３０ｂ内の負極側電源端子部３０ｄに導通接触可能とされる。
【００５６】
正極側配線３１における他方の端末には、図９に示すように、正極側給電基板４７における一方の端部に設けられた正極配線用給電基板コネクタ４９に嵌合接続される正極側給電基板用正極配線コネクタ４１が設けられている。この正極側給電基板用正極配線コネクタ４１には、図１１に示すように、正極側配線３１の他端側に接続された正極側配線端子部４１ａが内蔵されており、この正極側配線端子部４１ａが正極配線用給電基板コネクタ４９内の正極側給電基板端子部４９ａに導通接触可能とされる。これに対して、負極側配線３２における他方の端末には、図９に示すように、負極側給電基板４８における一方の端部に設けられた負極配線用給電基板コネクタ５０に嵌合接続される負極側給電基板用負極配線コネクタ４２が設けられている。この負極側給電基板用負極配線コネクタ４２には、図１１に示すように、負極側配線３２の他端側に接続された負極側配線端子部４２ａが内蔵されており、この負極側配線端子部４２ａが負極配線用給電基板コネクタ５０内の負極側給電基板端子部５０ａに導通接触可能とされる。
【００５７】
中継配線３３における一方の端末には、図９に示すように、正極側給電基板４７における他方の端部に設けられた中継配線用給電基板コネクタ５１に嵌合接続される正極側給電基板用中継配線コネクタ５２が設けられている。この正極側給電基板用中継配線コネクタ５２には、図１１に示すように、中継配線３３の一端側に接続された第１中継配線端子部５２ａが内蔵されており、この第１中継配線端子部５２ａが中継配線用給電基板コネクタ５１内の正極側給電基板端子部５１ａに導通接触可能とされる。中継配線３３における他方の端末には、負極側給電基板４８における他方の端部に設けられた中継配線用給電基板コネクタ５１に嵌合接続される負極側給電基板用中継配線コネクタ５３が設けられている。この負極側給電基板用中継配線コネクタ５３には、図１１に示すように、中継配線３３の他端側に接続された第２中継配線端子部５３ａが内蔵されており、この第２中継配線端子部５３ａが中継配線用給電基板コネクタ５１内の負極側給電基板端子部５１ｂに導通接触可能とされる。
【００５８】
（給電基板）
ここで、給電基板４３の構成について説明する。給電基板４３は、図９に示すように、Ｙ軸方向、つまりＬＥＤ基板２５の組の並び方向に沿って延在する板状をなす給電基板本体４３ａを有しており、この給電基板本体４３ａがＬＥＤ基板２５と同様に合成樹脂材料（具体的には紙フェノールまたはガラスエポキシ樹脂など）からなる。給電基板本体４３ａは、Ｙ軸方向に沿って並列する全てのＬＥＤ基板２５を横切るとともにシャーシ２２における短辺方向についての内寸よりもやや短い程度の長さ寸法を有している。給電基板本体４３ａのうち、その延在方向（Ｙ軸方向）についての一方の端部（図９に示す上側の端部）には、正極配線用給電基板コネクタ４９または負極配線用給電基板コネクタ５０が設けられているのに対し、他方の端部（図９に示す下側の端部）には、中継配線用給電基板コネクタ５１が設けられている。給電基板本体４３ａは、ＬＥＤ基板２５のうちシャーシ２２の長辺方向の外側の端部に対して、シャーシ２２の長辺方向の中央寄りにずれた部分と平面に視て重畳する配置とされる。給電基板本体４３ａには、図１１に示すように、その表面に金属膜（具体的には銅箔など）からなる配線パターン４３ｂが形成されており、この配線パターン４３ｂは、給電回路の系統数（Ｙ軸方向に沿って並ぶＬＥＤ基板２５の組数）と同数が給電基板本体４３ａ上にて互いに電気的に独立する形で配索されている。この配線パターン４３ｂには、一端側に正極配線用給電基板コネクタ４９内の正極側給電基板端子部４９ａまたは負極配線用給電基板コネクタ５０内の負極側給電基板端子部５０ａが配されるのに対し、他端側に次述する給電基板側コネクタ５４のカソード側端子部５４ｂまたはアノード側端子部５４ａが配される第１配線パターン４３ｂ１と、一端側に給電基板側コネクタ５４のアノード側端子部５４ａまたはカソード側端子部５４ｂが配されるのに対し、他端側に中継配線用給電基板コネクタ５１内の負極側給電基板端子部５１ｂが配される第２配線パターン４３ｂ２とが含まれている。なお、給電基板４３の基材に用いる材料としては、金属材料（例えばアルミニウムなど）を用いることも可能である。
【００５９】
（給電基板側コネクタ）
そして、給電基板本体４３ａのうちシャーシ２２の長辺方向の外側を向いた側面からは、図１２に示すように、Ｘ軸方向に沿って外向きに突出する形で給電基板側コネクタ（凸状接続部、給電側接続部）５４が一体に設けられており、この給電基板側コネクタ５４が次述するＬＥＤ基板２５に設けられたＬＥＤ基板側コネクタ５５に嵌合接続される。給電基板側コネクタ５４は、給電基板本体４３ａの延在方向（Ｙ軸方向）に沿って複数が間欠的に並んで配されており、その設置数がＹ軸方向に沿って並ぶＬＥＤ基板２５の並列数と同じ（９つ）とされるとともにその配置が各ＬＥＤ基板２５と平面に視て重畳するものとされる。つまり、給電基板側コネクタ５４は、給電基板本体４３ａにおける配列間隔がＹ軸方向に沿って並ぶＬＥＤ基板２５間の配列間隔とほぼ一致している。従って、嵌合作業に際しては、給電基板４３を操作することで、各給電基板側コネクタ５４を各ＬＥＤ基板２５の各ＬＥＤ基板側コネクタ５５に対して一括して嵌合させることができ、それにより作業効率が良好なものとされる。
【００６０】
給電基板側コネクタ５４は、図１３に示すように、Ｙ軸方向に沿って並ぶ形で分岐された一対の枝部５６を有している。言い換えると、給電基板側コネクタ５４は、その中央部が凹んだ二股状に形成されている。一対の枝部５６の並び方向は、ＬＥＤ基板２５の板面に並行するとともにＬＥＤ基板２５の組における並び方向であるＹ軸方向と一致しており、ＬＥＤ基板側コネクタ５５との嵌合方向であるＸ軸方向とは直交（交差）している。一対の枝部５６は、給電基板本体４３ａの側面からＸ軸方向に沿って突出するとともに、互いに並行している。一対の枝部５６は、給電基板本体４３ａからの突出寸法、及び幅寸法（Ｙ軸方向についての寸法）が互いにほぼ同じ程度とされる。給電基板側コネクタ５４には、図１１に示すように、給電基板本体４３ａ上の配線パターン４３ｂが延長形成されており、その端部に配されたアノード側端子部５４ａ及びカソード側端子部５４ｂが形成されている。詳しくは、給電基板側コネクタ５４をなす一対の枝部５６のうち、一方の枝部５６にアノード側端子部５４ａが、他方の枝部５６にカソード側端子部５４ｂがそれぞれ形成されている。このように給電基板側コネクタ５４を二股状に分岐し、一対の枝部５６間に間隔（物理的な空間）を保有させる構成とすることで、各枝部５６に形成されたアノード側端子部５４ａとカソード側端子部５４ｂとの電気的な独立性を担保する上で好適となっている（図１３及び図１５を参照）。
【００６１】
（ＬＥＤ基板側コネクタ）
ＬＥＤ基板２５のうちシャーシ２２の長辺方向の外側の端部（Ｘ軸方向について隣り合うＬＥＤ基板２５側とは反対側の端部）には、図１２に示すように、上記した給電基板４３の給電基板側コネクタ５４が嵌合接続されるＬＥＤ基板側コネクタ（凹状接続部、光源基板側接続部）５５が設けられている。ＬＥＤ基板側コネクタ５５は、シャーシ２２の長辺方向の中央側（図１２及び図１３に示す右側）に向けて開口するとともに、内部に給電基板側コネクタ５４が嵌合される嵌合空間ＩＳを有しており、凸状をなす給電基板側コネクタ５４を受け入れ可能な凹状をなしている。ＬＥＤ基板側コネクタ５５と給電基板側コネクタ５４との嵌合方向は、Ｘ軸方向と一致しており、ＬＥＤ基板側コネクタ５５に対して給電基板側コネクタ５４がシャーシ２２の長辺方向の中央側から外側（図１２及び図１３に示す左側）に向けて凹凸嵌合されるようになっている。なお、以下では、「前後」について記載するときは、嵌合方向を基準としており、「前側」が図１２及び図１３に示す右側と一致し、「後側」が図１２及び図１３に示す左側と一致している。このように給電基板４３をＬＥＤ基板２５に対してシャーシ２２における中央側から組み付ける配置構成とすれば、ＬＥＤ基板２５とシャーシ２２の長辺方向についての外縁部との間に給電基板４３の配置スペースや給電基板４３の嵌合ストローク分の空間を空けておく必要がなくなるから、その分だけ当該液晶表示装置１０の狭額縁化を図ることができる。なお、ＬＥＤ基板２５において、ＬＥＤ基板側コネクタ５５と、ＬＥＤ基板側コネクタ５５とＸ軸方向について隣り合う拡散レンズ２７（ＬＥＤ２４）との間には、給電基板本体４３ａの幅寸法と、給電基板側コネクタ５４の嵌合作業に必要な嵌合ストローク（給電基板本体４３ａからの給電基板側コネクタ５４の突出寸法）とを足し合わせた程度の間隔が空けられており、それにより給電基板４３が拡散レンズ２７（ＬＥＤ２４）に干渉し難くなっている。
【００６２】
ＬＥＤ基板側コネクタ５５は、図１３から図１７に示すように、内部に嵌合空間ＩＳを有するハウジング５７と、嵌合空間ＩＳに臨む形で配される一対の端子金具５８と、ハウジング５７の外側面に取り付けられる固定金具５９とを有してなる。ハウジング５７は、合成樹脂製とされ、図１３に示すように、全体としてブロック状をなすとともに、シャーシ２２の長辺方向の中央側、つまり給電基板４３側に向けて開口している。ハウジング５７は、嵌合空間ＩＳを取り囲むよう略角筒状をなす周壁部５７ａと、周壁部５７ａにおける嵌合方向の後端部に連なる奥壁部５７ｂと、嵌合空間ＩＳを一対の枝部５６に対応付けて区分する区画壁部（仕切り壁部）５７ｃとを有しており、全体として略有底角筒状をなしている。周壁部５７ａは、図１６に示すように、ＬＥＤ基板２５に接する底壁部５７ａ１と、底壁部５７ａ１の幅方向の両端部から立ち上がる一対の側壁部５７ａ２と、一対の底壁部５７ａ２の立ち上がり端同士を結ぶとともに底壁部５７ａ１と対向状をなす天井壁部５７ａ３と、仕切り壁部５７ｃとからなる。つまり、周壁部５７ａは、１つのコネクタ５４に２つ設けられている。奥壁部５７ｂは、周壁部５７ａと直交する壁面を有するとともに、その前側の壁面が嵌合空間ＩＳに臨む形で配されていて給電基板側コネクタ５４の嵌合深さを規制することができる。区画壁部５７ｃは、周壁部５７ａにおける底壁部５７ａ２と天井壁部５７ａ３とにおける幅方向の略中央部同士を繋ぐ形で設けられており、その厚み寸法が給電基板側コネクタ５４をなす枝部５６間の間隔よりも小さく設定されている。
【００６３】
ハウジング５７の周壁部５７ａを構成する一対の側壁部５７ａ２には、固定金具５９を取り付けるための金具取付溝部５７ａ４がそれぞれ形成されている。固定金具５９は、図１６に示すように、断面形状がＬ字型をなしており、側壁部５７ａ２に並行する金具本体５９ａと、金具本体５９ａの端部からＹ軸方向に沿って外向きに突出するとともにＬＥＤ基板２５に接する固定部５９ｂとを有してなる。このうち金具本体５９ａが金具取付溝部５７ａ４に圧入されるのに対し、固定部５９ｂがＬＥＤ基板２５に対して半田付けされることで、ＬＥＤ基板側コネクタ５５をＬＥＤ基板２５に対して取り付け状態に固定することができる。
【００６４】
端子金具５８は、金属製とされており、図１４に示すように、底壁部５７ａ１、奥壁部５７ｂ及び天井壁部５７ａ３の各壁面に沿って延在するよう途中で屈曲された端子本体５８ａを有している。端子本体５８ａは、一端側が嵌合空間ＩＳ内に配されるとともに給電基板側コネクタ５４に導通接触される給電基板側接触部５８ｂとされるのに対し、他端側が嵌合空間ＩＳ外に配されるとともにＬＥＤ基板２５の配線パターン２５ｂの端部に導通接触されるパターン側接触部５８ｃとされる。給電基板側接触部５８ｂは、端子本体５８ａのうち天井壁部５７ａ３に沿う部分を前端位置にて後側（図１５に示す左側）に折り返すよう屈曲させることで、断面形状が山形をなしており、弾性変形可能とされている。給電基板側接触部５８ｂは、端子本体５８ａのうち底壁部５７ａ１に沿う部分との間で給電基板側コネクタ５４（枝部５６）を弾性的に挟持することが可能とされる。ハウジング５７に収容される一対の端子金具５８のうち、一方の端子金具５８は、図１１に示すように、ＬＥＤ基板２５上に形成された配線パターン２５ｂのアノード側の端部に接続されるアノード側端子金具５８Ａとされるのに対し、他方の端子金具５８は、配線パターン２５ｂのカソード側の端部に接続されるカソード側端子金具５８Ｂとされる。なお、ＬＥＤ基板２５の配線パターン２５ｂは、ＬＥＤ基板２５の長辺方向（Ｘ軸方向）に沿って延在するとともに折り返し状をなしており、詳しくはＬＥＤ基板側コネクタ５５のアノード側端子金具５８Ａとの接続箇所を起点にして延在する部分が隣り合うＬＥＤ２４を横切るとともに各ＬＥＤ２４のアノード側端子及びカソード側端子（共に図示は省略する）に接続されることで、これらＬＥＤ２４群を直列接続し、ＬＥＤ基板２５におけるＬＥＤ基板側コネクタ５５とは反対側の端部に達したところで折り返されてからＬＥＤ基板側コネクタ５５のカソード側端子金具５８Ｂへ向けて直線的に延在する形態とされている。
【００６５】
（側壁部と枝部との関係）
ところで、ハウジング５７の周壁部５７ａを構成する一対の側壁部５７ａ２は、図１４に示すように、それぞれ嵌合空間ＩＳに対してＹ軸方向について隣接する配置とされるとともに、その厚み寸法が区画壁５７ｃと同じ程度、つまり給電基板側コネクタ５４をなす一対の枝部５６間の間隔よりも小さく設定されている。側壁部５７ａ２の厚み寸法と、一対の枝部５６間の間隔とをこのような関係とすることで、ハウジング５７の機械的強度を十分に担保しつつ、ＬＥＤ基板側コネクタ５５におけるＹ軸方向についての大きさを小型化した上で、ハウジング５７の各嵌合空間ＩＳの大きさをそれぞれ最大限に確保することができ、各枝部５６に形成されたアノード側端子部５４ａとカソード側端子部５４ｂとの電気的な独立性を良好に保つことができる。
【００６６】
給電基板４３において、長手状をなした給電基板本体４３ａの一方の長辺側端部には、複数個の給電基板側コネクタ５４が互いに間隔を保ちつつ一列に並んだ状態で設けられている。このように、複数個の給電基板側コネクタ５４が、一本の給電基板本体４３ａに設けられていると、相手側のＬＥＤ基板側コネクタ５５が備える嵌合空間ＩＳの大きさに余裕がないと、各コネクタ５４の寸法誤差等が積み重なって、各コネクタ５４を構成する一対の枝部５６が、位置ずれして、相手側のＬＥＤ基板側コネクタ５５に嵌合できなくなるおそれがある。また、嵌合空間ＩＳの大きさに余裕がないと、複数個のＬＥＤ基板側コネクタ５５の取付誤差等が積み重なって、給電基板側コネクタ５４とＬＥＤ基板側コネクタ５５との嵌合が阻害されることも考えられる。このようなコネクタ５４、５５同士の嵌合不良の問題を発生させないために、本実施形態では、上述したように周壁部５７ａの厚みを薄くすること等によって、各嵌合空間ＩＳの大きさをそれぞれ最大限に確保している。
【００６７】
ところで、上述したように、ハウジング５７の各嵌合空間ＩＳを、給電基板側コネクタ５４をなす各枝部５６よりも大きく設定すると、各枝部５６の挿入角度等によっては、各枝部５６が周壁部５７ａの内側で引っ掛かり、給電基板側コネクタ５４（枝部５６）の挿入が不完全な状態となってしまうおそれがあった。つまり、枝部５６が嵌合空間ＩＳの奥側まで入り込めず、途中で止まると、各枝部５６に形成されている各端子部５４ａ、５４ｂと、相手側のコネクタ５５に備えられている端子金具５８との間の接触が不十分となってしまうおそれがあった。
【００６８】
（本実施形態の要部に係る構成についての説明）
そこで、本実施形態に係るＬＥＤ基板側コネクタ５５には、図１４から図１７に示すように、凹状接続部としてのＬＥＤ基板側コネクタ５５に、凸状接続部としての給電基板側コネクタ５４が嵌合されるように、枝部５６の嵌合空間ＩＳに対する挿入を誘導するための誘導部６０が設けられている。誘導部６０は、ハウジング５７が有する各嵌合空間ＩＳに割り当てられている。誘導部６０は、ハウジング５７に一体形成されており、ハウジング５７のうち嵌合空間ＩＳに臨む内側面から嵌合空間ＩＳ側に突出する形で設けられている。誘導部６０は、周壁部５７のうち底壁部５７ａ１に設けられている。底壁部５７ａ１の中央部分には、端子金具５８を構成するパターン側接触部５８ｃが配されている。パターン側接触部５８ｃは、底壁部５７ａ１の前後方向に延びる形で設けられている。誘導部６０は、このパターン側接触部５８ｃを挟む形で、底壁部５７ａ１上に設けられている。
【００６９】
ところで、ハウジング５７が備える２つの嵌合空間ＩＳは、それぞれ互いに独立した挿入口ＩＳ１を備えている。図１４において左側に示される一方の嵌合空間ＩＳは、底壁部５７ａ１、天井壁部５７ａ３、図１４において左側に示される一方の側壁部５７ａ２及び仕切り壁部５７ｃで囲まれており、この囲まれた部分の最も前側部分が、挿入口ＩＳ１となっている。また、図１４において右側に示される他方の嵌合空間ＩＳは、底壁部５７ａ１、天井壁部５７ａ３、図１４において右側に示される他方の側壁部５７ａ２及び仕切り壁部５７ｃで囲まれており、この囲まれた部分の最も前側部分が、挿入口ＩＳ１となっている。
【００７０】
誘導部６０は、挿入口ＩＳ１側から奥壁部５７ｂ側に向かって下るように傾斜する下り傾斜面６０ａを有しつつ、底壁部５７ａ１から天井壁部５７ａ３側に向かって盛り上がった形をなしている。本明細書において、このような形をなした誘導部６０を、特に、誘導下り凸部と称する場合がある。図１５に示されるように、誘導部６０の高さ（底壁部５７ａ１からの高さ）は、挿入口ＩＳ１側が最も高くなっており、奥側（奥壁部５７ｂ側）に進むにつれて徐々に高さが低くなるように設定されている。つまり、ハウジング５７の側面側から見た、誘導部６０の断面形状は、三角形状となっている。図１５に示されるように、誘導部６０の前側の端部６０ｂは、挿入口ＩＳ１に配置されており、また誘導部６０の後側（奥側）の端部６０ｃは、奥壁部５７ｂよりも手前側に配置されている。本実施形態の場合、誘導部６０の後側の端部は、挿入口ＩＳ１から奥側に向かって３分の２程度、進んだ所に配置されている。
【００７１】
図１５に示されるように、ハウジング５７の嵌合空間ＩＳ内に、給電基板側コネクタ５４が備える凸状をなした枝部５４が奥側まで（所定位置まで）挿入された際に、誘導部６０は、枝部５４の裏側に設けられている収容部５６ａ内に収容されるように設定されている。収容部５６ａは、誘導部６０と枝部５４が所定位置まで挿入された際に、誘導部６０と嵌合出来るような内面形状を備えている。つまり、収容部５６ａの内面形状は、誘導部６０の外観形状に倣った凹部状をなしている。本実施形態の場合、枝部５６が端子金具５８のパターン側接触部５８ｃ上に載せられた状態で、収容部５６ａが誘導部６０の挿入口ＩＳ１側の端部６０ｂと嵌合する。なお、収容部５６ａは、１つの嵌合空間ＩＳ内に設けられている２つの誘導部６０を、まとめて収容する構成となっている。
【００７２】
誘導部６０の下り傾斜面６０ａは、枝部５４が嵌合空間ＩＳ内に挿入される際に、枝部５４の先端部分５６ｂが接触する部分となっている。この下り傾斜面６０ａに枝部５４の先端部分５６ｂが接触し、そして下り傾斜面６０ａを伝って奥側へ移動することによって、枝部５４が確実に嵌合空間ＩＳの奥側まで到達することになる（図１７参照）。
【００７３】
上述した構成の誘導部６０は、図９及び図１２に示すように、シャーシ２２内においてＹ軸方向に沿って並んで配された複数（９つ）のＬＥＤ基板側コネクタ５５の全てに設けられている。つまり、各コネクタ５５が備える各嵌合空間ＩＳに、それぞれ２個ずつ割り当てられている。
【００７４】
（本実施形態の要部に係る作用及び効果についての説明）
上記した構成を有するバックライト装置１２を組み付けるに際しては、まず、シャーシ２２内にＬＥＤ２４が実装された各ＬＥＤ基板２５を収容するとともに、所定の位置に位置合わせしつつ基板保持部材２８（第１基板保持部材）によって各ＬＥＤ基板２５を底板２２ａに対して取り付け状態に保持する（図７及び図８を参照）。なお、配線保護部材３７については、予めシャーシ２２の配線挿通孔３６の孔縁に取り付けるようにしておく。
【００７５】
シャーシ２２内に全てのＬＥＤ基板２５を取り付け終えたら、続いて給電基板４３の組み付け作業を行う。一対の給電基板４３のうち、正極側給電基板４７については、各給電基板側コネクタ５４を各正極側ＬＥＤ基板３４の各ＬＥＤ基板側コネクタ５５に、負極側給電基板４８については、各給電基板側コネクタ５４を各負極側ＬＥＤ基板３５の各ＬＥＤ基板側コネクタ５５にそれぞれ嵌合接続する。嵌合に際しては、給電基板４３を、各ＬＥＤ基板側コネクタ５５群に対してシャーシ２２の長辺方向についての中央側に一旦配置し、給電基板４３が有する各給電基板側コネクタ５４を、各ＬＥＤ基板側コネクタ５５に対してＹ軸方向及びＺ軸方向について位置合わせしつつ、給電基板４３を概ねＸ軸方向に沿わせて外向きにスライドさせる。
【００７６】
各給電基板側コネクタ５４を構成する各枝部５６は、長手状の給電基板本体４３ａに一括して設けられているため、各々の動きが制限され、各々の自由度が低くなっている。また、各枝部５６の寸法誤差等を許容するために、嵌合空間ＩＳが大き目に設定されており、嵌合空間ＩＳの挿入口ＩＳ１も大き目に設定されている。その結果、各枝部５６の挿入方向が、上述したＸ軸方向から大きく位置ずれした状態でも、各枝部５６は、ある程度、嵌合空間ＩＳの奥側に向かって進んでしまうことも考えられる。例えば、枝部５６の先端部分が、挿入口ＩＳ１から底壁部５７ａ１に向かって斜めに嵌合空間ＩＳ内に挿入されることも考えられる。そして枝部５６が、底壁部５７ａ１等に引っ掛かり、傾いた状態で嵌合空間ＩＳに挿入されることも考えられる。このように、枝部５６が奥側の所定位置まで挿入されず、途中で引っ掛かってしまうと、各枝部５６に設けられている各端子部５４ａ，５４ｂと、相手側の端子金具５８との間に接触不良が発生するおそれがある。
【００７７】
しかしながら、本実施形態の各給電基板側コネクタ５４には、上述したように、それぞれ誘導部６０が設けられている。そのため、各枝部５６は、各嵌合空間ＩＳに挿入される際、各誘導部６０の下り傾斜面６０ａに沿って奥側まで誘導されるため、各枝部５６が各嵌合空間ＩＳに対して、不完全な状態で嵌合されることが防止される。各枝部５６の嵌合空間ＩＳに対する挿入角度は、各枝部５６が各誘導部６０の各下り傾斜面６０ａを伝うことによって、それぞれ適切な角度に調整される。このように、本実施形態では、各給電基板側コネクタ５４がそれぞれ誘導部６０を備えているため、コネクタ５４を、各ＬＥＤ基板側コネクタ５５に対して、確実に、正常に嵌合させることができる。なお、次に述べる各配線３１〜３３の組み付け作業を上記した給電基板４３の組み付け作業に先立って行うことも可能である。
【００７８】
一方、各配線３１〜３３については、予めワイヤハーネス化しておき、その端末に各配線コネクタ３９〜４２，５２，５３をそれぞれ設けるようにしておく。ワイヤハーネス化した配線３１〜３３の束は、全体をシャーシ２２内に収容するものの、正極側配線３１及び負極側配線３３に接続された各電源基板用配線コネクタ３９，４０についてはそれぞれ対応する各配線挿通孔３６を通してシャーシ２２の裏側外部へと導出させておく（図１０を参照）。シャーシ２２内において、各配線３１〜３３の束をシャーシ２２の各長辺側の外縁部に沿って配索したら、その配索経路上に配された配線保持部材３８によって配線３１〜３３の束を保持するとともに、その束から各給電基板用正極配線コネクタ４１，４２及び各給電基板用中継配線コネクタ５２，５３を対応する各給電基板４７，４８側に引き出しておく（図９参照）。そして、引き出した正極側給電基板用正極配線コネクタ４１を、正極側給電基板４７の正極配線用給電基板コネクタ４９に、負極側給電基板用正極配線コネクタ４２を、負極側給電基板４８の負極配線用給電基板コネクタ５０に、正極側給電基板用中継配線コネクタ５２を、正極側給電基板４７の中継配線用給電基板コネクタ５１に、負極側給電基板用中継配線コネクタ５３を、負極側給電基板４８の中継配線用給電基板コネクタ５１に対してそれぞれ嵌合接続する（図９参照）。なお、上記した作業の手順は適宜に変更可能であり、例えば各コネクタ３９〜４２，５２，５３の嵌合作業を行ってから、配線保持部材３８による配線３１〜３３の保持を行うようにしても構わない。
【００７９】
図９に示すように、給電基板４３の組み付け作業、及びシャーシ２２内における各配線３１〜３３の配索作業（各コネクタ３９〜４２，５２，５３の嵌合作業）を終えたら、続いてシャーシ２２内に反射シート２９を敷設する作業を行う。このとき、反射シート２９の底部２９ａにおける各レンズ挿通孔に各拡散レンズ２７（ＬＥＤ２４）を位置合わせしつつ挿通させるとともに、各延出部２９ｃを各受け板２２ｃに載せるようにする。反射シート２９を敷設すると、給電基板４３、ＬＥＤ基板側コネクタ５５及び各配線３１〜３３などが反射シート２９によって覆われる。
【００８０】
反射シート２９を敷設したら、続いて基板保持部材（第２基板保持部材）２８を取り付けることで、底部２２ａをＬＥＤ基板２５と共にシャーシ２２の底板２２ａに対して共締めする。その後、シャーシ２２の光出射部を覆うようにして各光学部材２３を延出部２９ｃ上に載置する。なお、シャーシ２２の裏側の組み付けに関しては、図１０に示すように、底板２２ａの裏側における所定の位置にＬＥＤ駆動回路基板３０を取り付けるとともに、その正極側電源基板コネクタ３０ａに対して正極側配線３１の端末に配された正極側電源基板用配線コネクタ３９を、負極側電源基板コネクタ３０ｂに対して負極側配線３２の端末に配された負極側電源基板用配線コネクタ４０をそれぞれ嵌合接続する。このようにしてバックライト装置１２が製造される。バックライト装置１２には、フレーム２６、液晶パネル１１及びベゼル１３が順次に組み付けられることで、液晶表示装置１０が製造される。
【００８１】
上記のようにして製造された液晶表示装置１０の電源をＯＮすると、バックライト装置１２に備えられたＬＥＤ駆動回路基板３０から各ＬＥＤ基板２５に電力が供給されることで、各ＬＥＤ２５が点灯されるとともに、図示しない表示制御回路基板により液晶パネル１１の駆動が制御され、それにより液晶パネル１１の表示面に所定の画像が表示されるようになっている。ここで、ＬＥＤ基板２５の給電回路の作用に関して詳しく説明する。
【００８２】
ＬＥＤ駆動回路基板３０から出力される駆動電力は、図１１に示すように、正極側配線３１及び正極側給電基板４７を介して正極側ＬＥＤ基板３４に供給されてから、正極側給電基板４７、中継配線３３及び負極側給電基板４８を介して同じ組をなす負極側ＬＥＤ基板３５に供給される。つまり、同じ組をなす正極側ＬＥＤ基板３４及び負極側ＬＥＤ基板３５に複数ずつ実装された各ＬＥＤ２４は、互いに直列接続されているので、供給される電圧の値に応じてほぼ同一の輝度にて点灯される。そして、本実施形態におけるバックライト装置１２においては、ＬＥＤ基板２５の組毎に給電回路が独立していることから、各組毎に供給する電圧の大きさを自由に設定することが可能とされる。なお、全ての組において供給する電圧の大きさを異ならせて、各組毎にＬＥＤ２４の輝度を異ならせることができ、また複数の組毎に供給する電圧の大きさ並びにその組に属するＬＥＤ２４の輝度を異ならせることができ、さらには全ての組において電圧の大きさ並びにＬＥＤ２４の輝度を同一にすることもできる。
【００８３】
以上説明したように本実施形態のバックライト装置（照明装置）１２は、ＬＥＤ（光源）２４と、ＬＥＤ（光源）２４が実装されるＬＥＤ基板（光源基板）２５と、ＬＥＤ（光源）２４に電力を供給する給電基板（給電部材）４３と、ＬＥＤ基板２５と給電基板４３とのうちの一方側に設けられ、内部に複数の嵌合空間ＩＳを有する凹状接続部であるＬＥＤ基板側コネクタ５５と、ＬＥＤ基板２５と給電基板４３とのうちの他方側に設けられ、凹状接続部に嵌合されることで互いに電気的な接続が図られると共に、凹状接続部に対する嵌合方向と交差する方向に沿って並ぶ形で複数に分岐されてなり、嵌合空間ＩＳ毎に挿入される複数の枝部５６を有する凸状接続部である給電基板側コネクタ５４と、凹状接続部であるＬＥＤ基板側コネクタ５５の内側に設けられ、凸状接続部である給電基板側コネクタ５４が凹状接続部に嵌合されるように、枝部５６の嵌合空間ＩＳに対する挿入を誘導する誘導部６０と、を備える。
【００８４】
本実施形態のバックライト装置（照明装置）１２は、内部に複数の嵌合空間ＩＳを有する凹状接続部としてのＬＥＤ基板側コネクタ５５と、この凹状接続部としてのＬＥＤ基板側コネクタ５５に嵌合されることで互いに電気的な接続が図られると共に、凹状接続部としてのＬＥＤ基板側コネクタ５５に対する嵌合方向と交差する方向に沿って並ぶ形で複数に分岐されてなり、嵌合空間ＩＳ毎に挿入される複数の枝部５６を有する凸状接続部としての給電基板側コネクタ５４とを備えている。凹状接続部としてのＬＥＤ基板側コネクタ５５は、ＬＥＤ基板２５と給電基板４３（給電部材）とのうちの一方側に設けられ、凸状接続部としての給電基板側コネクタ５４は、他方側に設けられる。凹状接続部としてのＬＥＤ基板側コネクタ５５の内側には、凸状接続部としての給電基板側コネクタ５４が凹状接続部としてのＬＥＤ基板側コネクタ５５に嵌合されるように、枝部５６の嵌合空間ＩＳに対する挿入を誘導する誘導部６０が設けられている。本実施形態のバックライト装置（照明装置）１２では、誘導部６０を備えることによって、凸状接続部としての給電基板側コネクタ５４と凹状接続部としてのＬＥＤ基板側コネクタ５５を容易に嵌合させることができる。
【００８５】
また、本実施形態のバックライト装置（照明装置）１２において、凹状接続部としてのＬＥＤ基板側コネクタ５５は、嵌合空間ＩＳを取り囲む一端が開口した筒状の周壁部５７ａと、周壁部５７ａの開口側の端部からなり枝部５６が挿入される挿入口ＩＳ１とを有している。
【００８６】
また、本実施形態のバックライト装置（照明装置）１２において、誘導部６０は、挿入口ＩＳ１側から周壁部５７ａの他端側（奥壁部５７ｂ側）に向かって下るように傾斜する下り傾斜面６０ａを含み、周壁部５７ａの内面上に盛り上がった形で設けられる誘導下り凸部からなる。誘導部６０が、挿入口ＩＳ１側から周壁部５７ａの他端側に向かって下るように傾斜する下り傾斜面６０ａを含み、周壁部５７ａの内面上に盛り上がった形で設けられる誘導下り凸部からなると、誘導部６０によって、枝部５６の嵌合空間ＩＳに対する挿入角度が調整されつつ枝部５６が嵌合空間ＩＳに誘導される。
【００８７】
また、本実施形態のバックライト装置（照明装置）１２において、凹状接続部としてのＬＥＤ基板側コネクタ５５は、周壁部５７ａの内面上に配され、嵌合空間ＩＳに挿入された枝部５６と対向する形で接触する端子部５８（給電基板側接触部５８ｂ）を有し、誘導部６０は、周壁部５７ａの内面のうち、端子部５８と対向する側に配されている。凹状接続部としてのＬＥＤ基板側コネクタ５５が、周壁部５７ａの内面上に配され、嵌合空間ＩＳに挿入された枝部５６と対向する形で接触する端子部５８を有し、誘導部６０が、周壁部５７ａの内面のうち、端子部５８と対向する側に配されると、誘導部６０によって、枝部５６の嵌合空間ＩＳに対する挿入角度が最も効果的に調整されつつ枝部５６が嵌合空間ＩＳに誘導される。
【００８８】
また、本実施形態のバックライト装置（照明装置）１２において、凸状接続部としての給電基板側コネクタ５４は、枝部５６が嵌合空間ＩＳに挿入された後に、誘導部６０を収容する収容部５６ａを含むものであってもよい。凸状接続部としての給電基板側コネクタ５４が、誘導部６０を収容する収容部を有していると、枝部５６が嵌合空間ＩＳに挿入された後に、誘導部６０が枝部５６に対して干渉して、枝部５６に局所的に応力が加えられること等が抑制され、ひいては、枝部５６の破損等が抑制される。なお、本実施形態の場合、枝部５６は、給電基板側コネクタ５４の嵌合空間ＩＳにおいて、枝部５６が周壁部５７ａ（底壁部５７ａ１）の内面に対して平行に配された状態となっている。
【００８９】
また、本実施形態のバックライト装置（照明装置）１２において、収容部５６ａは、誘導部６０と嵌合し、誘導部６０の形状に倣った凹部状をなしている。このように収容部５６ａが、誘導部６０と嵌合し、誘導部６０の形状に倣った凹部状をなしていると、誘導部６０が収容部５６ａと嵌合することによって、誘導部６０を嵌合空間ＩＳにおいて確実に固定し、位置決めすることができる。
【００９０】
また、本実施形態のバックライト装置（照明装置）１２において、凹状接続部としてのＬＥＤ基板側コネクタ５５は、複数のものからなり、ＬＥＤ基板２５におけるＬＥＤ２４の実装面上に配され、各々が嵌合方向と交差する方向に沿って互いに間隔を保ちつつ並べられている。また、凸状接続部としての給電基板側コネクタ５４は、複数のものからなり、給電基板（給電部材）４３に配され、各々が凹状接続部としてのＬＥＤ基板側コネクタ５５と嵌合されるように、互いに間隔を保ちつつ並べられているものである。
【００９１】
また、本実施形態のバックライト装置（照明装置）１２において、給電基板（給電部材）は、長手状をなし、凸状接続部としての給電基板側コネクタ５４が長辺側の端部（側面）から外側に向かって設けられた給電基板本体（本体部）４３ａを有する。
【００９２】
また、本実施形態のバックライト装置（照明装置）１２において、周壁部５７ａは、合成樹脂製のハウジング５７からなり、誘導部６０は、ハウジングの一部として一体的に形成されている。このように、誘導部６０がハウジングからなる周壁部５７ａに一体的に形成されていると、既存の製造設備を利用して、誘導部６０を備えたハウジング５７（周壁部５７ａ）を容易に製造することができる。その結果、前記ハウジング５７（周壁部５７ａ）の製造コストを抑制することもできる。
【００９３】
＜実施形態２＞
本発明の実施形態２を図１８及び図１９によって説明する。この実施形態２では、誘導部１６０が側壁部１５７ａ２に設けられたものを示す。なお、上記した実施形態１と同様の構造、作用及び効果について重複する説明は省略する。本実施形態の各構成において、実施形態１と対応する部分については、実施形態１の符号に、更に「１００」を追加した符号を用いて表すものとする。
【００９４】
本実施形態に係る誘導部１６０は、図１８及び図１９に示すように、ＬＥＤ基板側コネクタ１５５において、ハウジング１５７が備えている周壁部１５７ａのうち、各側壁部１５７ａ２（１５７ａ）の内面側に設けられている。本実施形態の誘導部１６０は、各嵌合空間ＩＳに、１つずつ割り当てられている。なお、仕切り壁部１５７ｃ（１５７ａ）には、誘導部１６０が設けられていない。誘導部１６０は、挿入口ＩＳ１側から周壁部１５７ａの奥側にある奥壁部１５７ｂに向かって上るように傾斜する上り傾斜面１６０ａを備えている。また、誘導部１６０は、側壁部１５７ａ２の内面上に、盛り上がった形で設けられている。本明細書において、このような形をなした誘導部１６０を、特に、誘導上り凸部と称する場合がある。
【００９５】
なお、ＬＥＤ基板側コネクタ１５５は、ハウジング１５７の天井壁部１５７ａ３（１５７ａ）の内側に、端子金具１５８が底壁部１５７ａ１（１５７ａ）と対向する形で配されている。そして、この端子金具１５８は、嵌合空間ＩＳ内に挿入された枝部１５６と対向しつつ接触するように設定されている。誘導部１６０は、枝部１５６と端子部１５８との対向を誘導するために、枝部１５６の並び方向（Ｙ軸方向）において、凸状接続部としての給電基板側コネクタ１５４を両端から挟むように、各側壁部１５７ａ２の内面上に設けられている。
【００９６】
このような誘導部１６０を備えるＬＥＤ基板側コネクタ１５５に、給電基板側コネクタ１５４が挿入されると、コネクタ１５４が備える各枝部１５６は、各挿入口ＩＳ１から奥側（奥壁部１５８ｂ）に向かって嵌合空間ＩＳ内を進行する。その際、各枝部１５６は、誘導部１６０の上り傾斜面１６０ａに沿ってコネクタ１５５の中央側（仕切り壁部１５７ｃ側）に誘導されて、嵌合空間ＩＳの奥側の所定個所に到達する。つまり、給電基板側コネクタ１５４の各枝部１５６を、ＬＥＤ基板側コネクタ１５５の各嵌合空間ＩＳにおいて、それぞれ略中央に配置させる機能を備えている。例えば、誘導部１６０がＬＥＤ基板側コネクタ１５５に設けられていないと、一対の枝部１５６のうち、一方の枝部１５６が仕切り壁部１５７ｃ側に片寄り、他方の枝部１５６が側壁部１５７ａ２側に片寄ってしまうおそれがある。しかしながら、本実施形態のように、誘導部１６０がＬＥＤ基板側コネクタ１５５に設けられていると、枝部１５６が嵌合空間ＩＳ内において、何れかの周壁面１５７ａ側に片寄って配置されることが抑制される。その結果、誘導部１６０は、各枝部１５６が天井壁部１５７ａ３側に配されている端子金具１５８と確実に対向できるようになり、各枝部１５６に設けられている端子と、相手側の端子金具１５８との間における電気的な接続を確保することができる。なお、本実施形態の端子金具１５８は、嵌合空間ＩＳのＹ軸方向において、略中央に配されている。
【００９７】
本実施形態のバックライト装置（照明装置）において、誘導部１６０は、挿入口ＩＳ１側から周壁部１５７ａの他端側に向かって上るように傾斜する上り傾斜面１６０ａを含み、周壁部１５７ａの内面上に盛り上がった形で設けられる誘導上り凸部からなるものである。このような構成を備えていると、誘導部１６０によって、枝部１５６の嵌合空間ＩＳに対する挿入個所が調整されつつ枝部１５６が嵌合空間ＩＳに誘導される。
【００９８】
また、本実施形態のバックライト装置（照明装置）において、凹状接続部としてのＬＥＤ基板側コネクタ１５５は、周壁部１５７ａの内面上に配され、嵌合空間ＩＳに挿入された枝部１５６と対向する形で接触する端子部１５８を有し、誘導部１６０は、枝部１５６と端子部１５８との対向を誘導するために、枝部１５６の並び方向（Ｙ軸方向）において、凸状接続部としての給電基板側コネクタ１５４を両端から挟むように、周壁部１５７ａの内面上に配されている。このような構成を備えていると、誘導部１６０によって、枝部１５６と端子部１５８との対向が誘導され、その結果、枝部１５６の嵌合空間ＩＳに対する挿入個所が最も効果的に調整されつつ枝部１５６が嵌合空間ＩＳに誘導される。
【００９９】
＜実施形態３＞
本発明の実施形態３を図２０及び図２１によって説明する。この実施形態３では、実施形態２と同様、側壁部２５７ａ２に設けられているものの、その形状が、実施形態１のものと異なっている誘導部２６０を示す。なお、上記した実施形態１，２と同様の構造、作用及び効果について重複する説明は省略する。なお、本実施形態の各構成において、実施形態１と対応する部分については、実施形態１の符号に、更に「２００」を追加した符号を用いて表すものとする。
【０１００】
本実施形態に係る誘導部２６０は、図２０及び図２１に示すように、実施形態２と同様、ＬＥＤ基板側コネクタ２５５において、ハウジング２５７が備えている周壁部２５７ａのうち、各側壁部２５７ａ２（２５７ａ）の内面側に設けられている。本実施形態の誘導部２６０は、各嵌合空間ＩＳに、１つずつ割り当てられている。なお、仕切り壁部２５７ｃ（２５７ａ）には、誘導部２６０が設けられていない。誘導部２６０は、実施形態２と同様、挿入口ＩＳ１側から周壁部２５７ａの奥側にある奥壁部２５７ｂに向かって上るように傾斜する上り傾斜面２６０ａを備えている。また、誘導部２６０は、側壁部２５７ａ２の内面上に、盛り上がった形（つまり、誘導上り凸部）となっている。
【０１０１】
本実施形態の誘導部２６０は、側壁部２５７ａ２の内面上において、四角錐状をなしている。図２０に示されるように、誘導部６０は、実施形態２の場合と比べて、底壁部２５７ａ１側に片寄った形となっている。つまり、嵌合空間ＩＳの奥側において、天井壁部２５７ａ３側の方が、底壁部２５７ａ１側よりも広くなっている。
【０１０２】
ＬＥＤ基板側コネクタ２５５は、ハウジング２５７の天井壁部２５７ａ３（２５７ａ）の内側に、端子金具２５８が底壁部２５７ａ１（２５７ａ）と対向する形で配されている。そして、この端子金具２５８は、嵌合空間ＩＳ内に挿入された枝部２５６と対向しつつ接触するように設定されている。誘導部２６０は、枝部２５６と端子部２５８との対向を誘導するために、枝部２５６の並び方向（Ｙ軸方向）において、凸状接続部としての給電基板側コネクタ２５４を両端から挟むように、各側壁部２５７ａ２の内面上に設けられている。
【０１０３】
このような誘導部２６０を備えるＬＥＤ基板側コネクタ２５５に、給電基板側コネクタ２５４が挿入されると、コネクタ２５４が備える各枝部２５６は、各挿入口ＩＳ１から奥側（奥壁部２５７ｂ）に向かって嵌合空間ＩＳ内を進行する。その際、各枝部２５６は、誘導部２６０の上り傾斜面２６０ａに沿ってコネクタ２５５の中央側（仕切り壁部２５７ｃ側）に誘導されて、嵌合空間ＩＳの奥側の所定個所に到達する。つまり、実施形態２と同様、誘導部２６０は、給電基板側コネクタ２５４の各枝部２５６を、ＬＥＤ基板側コネクタ２５５の各嵌合空間ＩＳにおいて、それぞれ略中央に配置させる機能を備えている。本実施形態のように、誘導部２６０がＬＥＤ基板側コネクタ２５５に設けられていると、枝部２５６が嵌合空間ＩＳ内において、何れかの周壁面２５７ａ側に片寄って配置されることが抑制される。その結果、誘導部２６０は、各枝部２５６が天井壁部２５７ａ３側に配されている端子金具２５８と確実に対向できるようになり、各枝部２５６に設けられている端子と、相手側の端子金具２５８との間における電気的な接続を確保することができる。なお、本実施形態の端子金具２５８は、嵌合空間ＩＳのＹ軸方向において、略中央に配されている。
【０１０４】
また、本実施形態の誘導部２６０は、上述したように四角錐状をなしており、実施形態２のものと比べて、上側（天井壁部２５７ａ３側）が小さく、挿入口ＩＳ１側における嵌合空間ＩＳが広く設定されている。そのため、各枝部２５６が各挿入口ＩＳ１から各嵌合空間ＩＳに挿入され易くなっている。
【０１０５】
＜実施形態４＞
本発明の実施形態４を図２２から図２５によって説明する。この実施形態４では、凸状接続部としての給電基板側コネクタ３５４が、凹状接続部としてのＬＥＤ基板側コネクタ３５５に嵌合される場合を説明する。ＬＥＤ基板側コネクタ３５５には、誘導部３６０が設けられている。なお、上記した実施形態１と同様の構造、作用及び効果について重複する説明は省略する。本実施形態の各構成において、実施形態１と対応する部分については、実施形態１の符号に、更に「３００」を追加した符号を用いて表すものとする。
【０１０６】
本実施形態に係る端子金具３５８は、図２２から図２５に示すように、ハウジング３５７における天井壁部３５７ａ３の内壁面に沿って延在するとともに側壁部３５７ａ２を貫通する端子本体３５８ａと、端子本体３５８ａの前端部から後側に向けて折り返されてなる給電基板側接触部３５８ｂと、端子本体３５８ａのうちハウジング３５７外に突き出した端部から側壁部３５７ａ２の外側面（Ｚ軸方向）に沿って裏側（ＬＥＤ基板３２５側）に向けて延出してからＬＥＤ基板３２５の板面（Ｙ軸方向）に沿って外向きに延出するパターン側接触部３５８ｃとを有している。この端子金具３５８は、ハウジング３５７に対してインサート成形により一体化されている。
【０１０７】
端子本体３５８ａは、図２２から図２５に示すように、その大部分がハウジング３５６内に配されているものの、一部が側壁部３５７ａ２を貫通してハウジング３５７外に突き出している。給電基板側接触部３５８ｂは、ハウジング３５７の底壁部３５７ａ１との間に嵌合空間ＩＳを有する形で配されており、底壁部２５７ａ１との間で枝部３５６を弾性的に挟持可能とされる。パターン側接触部３５８ｃは、ＬＥＤ基板３２５に接する部分が半田付けされることで、ＬＥＤ基板３２５の配線パターン（不図示）に対する電気的な接続が図られるとともに、ＬＥＤ基板コネクタ３５５をＬＥＤ基板３２５に対して機械的に固定することができる。
【０１０８】
また、本実施形態のＬＥＤ基板コネクタ３５５は、図２２から図２５に示されるように、ハウジング３５７の周壁部３５７ａのうち、底壁部３５７ａ１上には、端子金具３５８が配置されない構成となっている。そして、その底壁部３５７ａ１上に、下り傾斜面３６０ａを含む誘導部３６０が形成されている。ハウジング３５７が備える２つの周壁部３５７（嵌合空間ＩＳ）に、それぞれ誘導部３６０が形成されている。本実施形態の場合、誘導部３６０は、側壁部３５７ａ２と仕切り壁部３５７ｃとの間に亘って形成されている。誘導部３６０の前側の端部３６０ｂは、実施形態１と同様、挿入口ＩＳに配されており、後側（奥側）の端部も、同様に奥壁部３５７ｂよりも手前に配置されている。そして、給電基板側コネクタ３５４が備えている一対の枝部３５６には、実施形態１と同様に、誘導部３６０と嵌合する凹部状の収容部３５６ａがそれぞれ形成されている。
【０１０９】
本実施形態のように、底壁部３５７ａ１上に端子金具３５８が配置されないＬＥＤ基板コネクタ３５５に、誘導部３６０を設けてもよい。なお、誘導部３６０は、ハウジング３５７と一体的に形成されている。
【０１１０】
＜実施形態５＞
本発明の実施形態５を図２６から図２８によって説明する。この実施形態５では、凸状接続部としての給電基板側コネクタ４５４が、凹状接続部としてのＬＥＤ基板側コネクタ４５５に嵌合される場合を説明する。ＬＥＤ基板側コネクタ４５５には、誘導部４６０が設けられている。なお、上記した実施形態１と同様の構造、作用及び効果について重複する説明は省略する。本実施形態の各構成において、実施形態１と対応する部分については、実施形態１の符号に、更に「４００」を追加した符号を用いて表すものとする。
【０１１１】
本実施形態は、実施形態２の誘導部３６０に代えて、誘導部４６０を設けたものである。これに応じて、給電基板側コネクタ４５４が備えている枝部４５６には、誘導部４６０と嵌合する凹部状の収容部４５６ａが設けられている。本実施形態の誘導部４６０は、その表面４６０ａが曲面状であり、全体的には、挿入口ＩＳ側から奥側に向かって下るように傾斜している。このような表面４６０ａを、特に、下り傾斜曲面と称する場合がある。誘導部４６０がこのような下り傾斜曲面４６０ａを備えていると、給電基板側コネクタ４５４の枝部４５６を、嵌合空間ＩＳに挿入する際、枝部４５６の挿入角度（俯角の角度）を途中から徐々に変化させることができる。具体的には、枝部４５６が誘導部４６０の下り傾斜曲面４６０ａを伝って奥側（奥壁部４５７ｂ側）へ移動すると、枝部４５６の挿入角度（底壁部４５７ａ１に対する角度）は、途中から徐々に大きくなるように変化する。
【０１１２】
端子金具４５８が備えている給電基板側接触部４５８ｂは、天井壁部４５７ａ３に沿う部分を前端位置にて後側に折り返すよう屈曲させることで、断面形状が下側に向かって突出する山形をなしている。嵌合空間ＩＳは、給電基板側接触部４５８ｂと誘導部４６０との間に配されているため、給電基板側接触部４５８ｂが突出していると、その分だけ、給電基板側接触部４５８ｂと誘導部４６０との間の隙間（嵌合空間ＩＳ）が狭くなっている。しかしながら、上述したように、給電基板側コネクタ４５４の枝部４５６が、誘導部４６０の下り傾斜曲面４６０ａを伝って奥側へ移動すると、枝部４５６の先端を下側にした状態で、給電基板側コネクタ４５４が徐々に立ち上がるため、給電基板側接触部４５８ｂが天井壁部４５７ａ３側に押されて、給電基板側接触部４５８ｂと誘導部４６０との間の隙間（嵌合空間ＩＳ）が広げられることになる。したがって、本実施形態の場合、誘導部４６０が下り傾斜曲面４６０ａを備えることによって、給電基板側コネクタ４５４の枝部４５６が嵌合空間ＩＳ内に挿入され易くなっている。
【０１１３】
＜実施形態６＞
本発明の実施形態６を図２９及び図３０によって説明する。この実施形態６では、給電基板及び各配線に代えて中継コネクタ５６３を用いたものを示す。なお、上記した実施形態１と同様の構造、作用及び効果について重複する説明は省略する。
【０１１４】
本実施形態では、上記した実施形態１〜５に示した給電基板及び各配線に代えて中継コネクタ５６３を用いることで、ＬＥＤ駆動回路基板５３０からの駆動電力をＬＥＤ基板５２５（ＬＥＤ５２４）に供給するようにしている。中継コネクタ５６３は、図２９及び図３０に示すように、シャーシ５２２の底板５２２ａを内外に貫通する形で取り付けられるハウジング５６４を有しており、ハウジング５６４のうちシャーシ５２２内に配される部分がＬＥＤ基板５２５を嵌合可能なＬＥＤ基板側嵌合部（凹状接続部、給電側接続部）５６４ａとされるのに対し、シャーシ５２２外に配される部分がＬＥＤ駆動回路基板５３０を嵌合可能な駆動回路基板側嵌合部５６４ｂとされる。ＬＥＤ基板側嵌合部５６４ａ及び駆動回路基板側嵌合部５６４ｂには、それぞれシャーシ５２２における長辺方向についての中央側（図２９及び図３０に示す）に向けて開口する形の嵌合空間ＩＳ２，ＩＳ３がそれぞれ設けられている。ハウジング５６４には、両嵌合空間ＩＳ２，ＩＳ３間を仕切る形で隔壁５６４ｃが設けられるとともに、この隔壁５６４ｃを貫通することで、両嵌合空間ＩＳ２，ＩＳ３に臨んで配される端子金具６５がインサート成形により一体化されている。端子金具５６５は、隔壁５６４ｃを貫通してＬＥＤ基板側嵌合部５６４ａと駆動回路基板側嵌合部５６４ｂとに跨る形で配される端子本体５６５ａと、端子本体５６５ａのうちＬＥＤ基板側嵌合部５６４ａ側の端部に設けられるＬＥＤ基板側接触部５６５ｂと、端子本体５６５ａのうち駆動回路基板側嵌合部５６４ｂの端部に設けられる駆動回路基板側接触部５６５ｃとからなる。ＬＥＤ基板側接触部５６５ｂ及び駆動回路基板側接触部５６５ｃは、共に断面形状が山形をなしており、弾性変形可能とされている。ＬＥＤ基板側嵌合部５６４ａの第１嵌合空間ＩＳ２は、ＬＥＤ基板側接触部５６５ｂと隔壁５６４ｃとの間に有されるのに対し、駆動回路基板側嵌合部５６４ｂの第２嵌合空間ＩＳ３は、駆動回路基板側接触部５６５ｃと隔壁５６４ｃとの間に有される。また、端子金具５６５は、ハウジング５６４内において一対がＹ軸方向に沿って並んで配されている。
【０１１５】
ＬＥＤ基板側嵌合部５６４ａの第１嵌合空間ＩＳ２には、図３０に示すように、ＬＥＤ基板５２５に設けられるとともに凸状をなすＬＥＤ基板側コネクタ部（凸状接続部、光源基板側接続部）５５５がＸ軸方向に沿って嵌合可能とされている。本実施形態に係るＬＥＤ基板側コネクタ部５５５は、ＬＥＤ基板５２５における長さ方向についての一端部を二股状に分岐させることで、一対の枝部５５６を有してなるものとされる。一対の枝部５５６には、ＬＥＤ基板５２５上の配線パターンの端部に配されたアノード側端子部及びカソード側端子部（配線パターン共々図示せず）がそれぞれ形成されており、第１嵌合空間ＩＳ２に嵌合されると、各端子部が各端子金具５６５のＬＥＤ基板側接触部５６５ｂに対して弾性接触されるようになっている。一方、駆動回路基板側嵌合部５６４ｂの第２嵌合空間ＩＳ３には、ＬＥＤ駆動回路基板５３０に設けられるとともに凸状をなす駆動回路基板側コネクタ部５６６がＸ軸方向に沿って嵌合されるようになっている。駆動回路基板側コネクタ部５６６は、ＬＥＤ駆動回路基板５３０におけるＸ軸方向についての一端部に設けられている。駆動回路基板側コネクタ部５６６には、ＬＥＤ駆動回路基板５３０上の配線パターンの端部に配された正極側電源端子部及び負極側電源端子部（図示せず）が設けられており、第２嵌合空間ＩＳ３に嵌合されると、各端子部が各端子金具５６５の駆動回路基板側接触部５６５ｃに対して弾性接触されるようになっている。
【０１１６】
上記した構成の中継コネクタ５６３は、図２９に示すように、ＬＥＤ基板５２５と同様にシャーシ５２２内においてＹ軸方向に沿って複数が並んで配されており、それぞれのＬＥＤ基板側嵌合部５６４ａに対して各ＬＥＤ基板５２５のＬＥＤ基板側コネクタ部５５５が個別に嵌合接続されるようになっている。そして、ハウジング５６４のうち、ＬＥＤ基板側嵌合部５６４ａには、ＬＥＤ基板側コネクタ部５５５の枝部５５６を嵌合空間ＩＳ２内に誘導する誘導部５６０Ａが設けられている。これに対して、駆動回路基板側嵌合部５６４ｂには、駆動回路基板側コネクタ部５６６の枝部を嵌合空間ＩＳ３内に誘導する誘導部５６０Ｂが設けられている。各誘導部５６０Ａ、５６０Ｂは、挿入口ＩＳ１側から奥側に向かって上るように傾斜する上り傾斜面５６０Ａａ，５６０Ｂａを備えており、各嵌合部５６４ａ，５６４ｂの内面上に、盛り上がった形で設けられる誘導上り凸部からなる。また、誘導部５６０Ａは、枝部５５６の並び方向（Ｙ軸方向）において、凸状接続部としてのＬＥＤ基板側コネクタ部５５５を両端から挟むように、ＬＥＤ基板側嵌合部５６４ａの内面上に形成されている（図２９及び図３０参照）。そして、誘導部５６０Ｂは、駆動回路基板側コネクタ部５６６の枝部の並び方向（Ｙ軸方向）において、凸状接続部としての駆動回路基板側コネクタ部５６６を両端から挟むように、駆動回路基板側嵌合部５６４ｂの内面上に形成されている（図３０）。各誘導部５６０Ａ，５６０Ｂの構成は、実施形態２のものと同様である。このような、各誘導部５６０Ａ，５６０Ｂを備える構成であってもよい。
【０１１７】
各ＬＥＤ基板５２５のＬＥＤ基板側コネクタ部５５５を各中継コネクタ５６３のＬＥＤ基板側嵌合部５６４ａに対して嵌合する作業を行う際に、ＬＥＤ基板側コネクタ部５５５と、駆動回路基板側コネクタ部５６６とが、それぞれ各誘導部５６０Ａ，５６０Ｂによって誘導されて、各嵌合空間ＩＳ２、ＩＳ３に挿入される。本実施形態のように、凹状接続部が、給電基板（給電部材）に配され、凸状接続部が、ＬＥＤ基板に配されてもよい。
【０１１８】
＜実施形態７＞
本発明の実施形態７を図３１によって説明する。この実施形態７では、ＬＥＤ基板１０２５に対する給電基板１０４３の配置を変更したものを示す。なお、上記した実施形態１と同様の構造、作用及び効果について重複する説明は省略する。
【０１１９】
本実施形態に係る給電基板１０４３は、図３１に示すように、ＬＥＤ基板１０２５に対してシャーシ１０２２における長辺方向の端側から組み付けられる構成とされ、その組み付けに伴って各給電基板側コネクタ１０５４が各ＬＥＤ基板１０２５のＬＥＤ基板側コネクタ１０５５に対してシャーシ１０２２の長辺方向の端側から中央側に向けて凹凸嵌合されるようになっている。ＬＥＤ基板側コネクタ１０５５は、シャーシ１０２２の長辺方向の端側に向けて開口する形で嵌合空間（図示せず）を有している。給電基板１０４３は、その給電基板本体１０４３ａが各ＬＥＤ基板１０２５とは平面に視て非重畳とされており、各ＬＥＤ基板１０２５に対してシャーシ１０２２の長辺方向についての端側に隣り合う位置に配されている。このように給電基板１０４３をＬＥＤ基板１０２５に対してシャーシ１０２２における端側から組み付ける配置構成とすれば、ＬＥＤ基板側コネクタ１０５５と、Ｘ軸方向について隣り合う拡散レンズ１０２７（ＬＥＤ）との間の間隔を狭くすることができる。
【０１２０】
＜他の実施形態＞
本発明は上記記述及び図面によって説明した実施形態に限定されるものではなく、例えば次のような実施形態も本発明の技術的範囲に含まれる。
【０１２１】
（１）上記した各実施形態以外にも、ＬＥＤ基板の給電回路に係る具体的な構成は適宜に変更可能である。例えば、図３２及び図３３に示すように、ＬＥＤ駆動回路基板３０‐１に互いに電気的に独立した第１駆動部ＬＤ１及び第２駆動部ＬＤ２を設け、第１駆動部ＬＤ１を各図面の左側に配されたＬＥＤ基板２５‐１に、第２駆動部を各図面の右側に配されたＬＥＤ基板２５‐１にそれぞれ電気的に接続するような構成とすることができる。この場合、第１駆動部ＬＤ１によって各図面の左側に配されたＬＥＤ基板２５‐１に配された各ＬＥＤ２４‐１が駆動されるのに対し、第２駆動部ＬＤ２によって各図面の右側に配されたＬＥＤ基板２５‐１に配された各ＬＥＤ２４‐１が駆動される。また、図３２及び図３３に係る給電回路では、一対の給電基板４３‐１間を中継接続する必要がないことから、上記した各実施形態に記載した中継配線が省略されている。
【０１２２】
（２）上記した（１）以外にも、ＬＥＤ基板の給電回路に係る具体的な構成はさらに変更可能である。例えば、図３４及び図３５に示すように、各ＬＥＤ基板２５‐２のうちシャーシ２２‐２における中央側、つまり給電基板４３‐２側とは反対側の端部に基板間コネクタＢＣをそれぞれ設け、隣接する基板間コネクタＢＣ同士を嵌合することで、Ｘ軸方向について隣り合うＬＥＤ基板２５‐２間を電気的に接続するような構成とすることができる。この場合、ＬＥＤ駆動回路基板３０‐２のＬＥＤ駆動部３０ｅ‐２によってＸ軸方向について隣り合うＬＥＤ基板２５‐２にそれぞれ設けられたＬＥＤ２４‐２が一括して駆動される。また、図３４及び図３５に係る給電回路では、一対の給電基板４３‐２間を中継接続する必要がないことから、上記した各実施形態に記載した中継配線が省略されている。
【０１２３】
（３）上記した（１），（２）以外にも、ＬＥＤ基板の給電回路に係る具体的な構成は適宜に変更可能である。
【０１２４】
（４）上記した各実施形態以外にも、誘導部における具体的な形成範囲（幅寸法、高さ寸法、奥行き寸法など）、配置（Ｘ軸方向についての配置、Ｙ軸方向についての配置、Ｚ軸方向についての配置）、設置数、外形などは適宜に変更可能である。
【０１２５】
（５）上記した各実施形態では、誘導部がＬＥＤ基板側コネクタの各嵌合空間にそれぞれ割り当てられていたが、誘導部をＬＥＤ基板側コネクタにおける片方の嵌合空間にのみ割り当てたものも本発明に含まれる。
【０１２６】
（６）上記した各実施形態（実施形態６を除く）では、シャーシ内に並列配置された複数のＬＥＤ基板側コネクタの全てに誘導部を設けたものを示したが、シャーシ内に並列配置された複数のＬＥＤ基板側コネクタに、誘導部が設置されたものと、誘導部が設置されないものとが混在する形で含まれる構成とすることも可能である。例えば、シャーシ内においてＬＥＤ基板側コネクタ（ＬＥＤ基板）の並び方向（Ｙ軸方向）について両端に位置する一対のＬＥＤ基板側コネクタに誘導部を設けるようにすれば、ＬＥＤ基板側コネクタの並び方向に沿って延在する給電基板に撓みや反りが生じたときでも、規制部の嵌合規制機能がより確実に発揮されるから、より好ましいものとされる。
【０１２７】
（７）上記した各実施形態（実施形態６を除く）では、給電基板側コネクタが二股状に分岐されて一対の枝部からなるものを示したが、給電基板側コネクタを構成する枝部の数は３つ以上とすることも可能である。
【０１２８】
（８）上記した各実施形態（実施形態６を除く）では、ＬＥＤ基板側コネクタに給電基板側コネクタの各枝部が嵌合される嵌合空間を区分する区画壁部を設け、区画壁部が周壁部における底壁部と天井壁部との双方に連なる形態とされたものを示したが、区画壁部が底壁部と天井壁部とのいずれか一方にのみ連なる形態とすることも可能である。また、区画壁部を省略したものも本発明に含まれる。
【０１２９】
（９）上記した各実施形態（実施形態６を除く）では、ＬＥＤ基板側コネクタのハウジングに、誘導部を一体形成したものを示したが、誘導部をＬＥＤ基板側コネクタのハウジングとは別体とし、上記ハウジングに対して組み付けるようにしてもよい。なお、一体形成の場合、誘導部を備えたハウジングを、所定の金型を利用して容易に形成することができる。これに対して、誘導部を別体とする場合、誘導部をハウジングの所定個所に取り付ける作業が煩雑ではあるものの、上記した各実施形態と同様、枝部を嵌合空間に誘導することができる。
【０１３０】
（１０）上記した各実施形態（実施形態６を除く）では、ＬＥＤ基板側コネクタが凹状をなすのに対し、給電基板側コネクタが凸状をなす場合を示したが、凹凸関係を逆転させ、ＬＥＤ基板側コネクタを凸状とし、給電基板側コネクタを凹状とすることも可能である。
【０１３１】
（１１）上記した各実施形態（実施形態６を除く）では、ＬＥＤ基板側コネクタに対して給電基板側コネクタがＸ軸方向に沿って嵌合されるものを示したが、ＬＥＤ基板側コネクタに対して給電基板側コネクタがＺ軸方向に沿って表側から嵌合される構成としたものも本発明に含まれる。その場合でも、枝部が給電基板側コネクタの奥側（嵌合空間の奥側）まで誘導されるように誘導部の配置を適宜、変更すればよい。
【０１３２】
（１２）上記（５）〜（１１）の技術事項は、実施形態６に記載したものにも適用可能である。その場合、上記した（５）〜（１１）において「ＬＥＤ基板側コネクタ」を「中継コネクタ」とし、「給電基板」を「ＬＥＤ基板」と、「給電基板側コネクタ」を「ＬＥＤ基板側コネクタ」として読み替えるようにすればよい。
【０１３３】
（１３）上記以外にも、各実施形態の構成を適宜に組み合わせることが可能である。
【０１３４】
（１４）上記した各実施形態では、給電基板をＬＥＤ駆動回路基板に配線を用いて接続するものを示したが、例えばシャーシの底板を内外に貫通する形で中継コネクタを設けるようにし、この中継コネクタにおけるシャーシ内に配された部分を給電基板側のコネクタに、シャーシ外に配された部分をＬＥＤ駆動回路基板側のコネクタにそれぞれ嵌合接続することも可能である。
【０１３５】
（１５）上記した各実施形態では、給電基板における表側を向いた板面に正極配線用給電基板コネクタ及び負極配線用給電基板コネクタが設けられたものを示したが、正極配線用給電基板コネクタ及び負極配線用給電基板コネクタが給電基板における裏側を向いた板面に設けられるものも本発明に含まれる。
【０１３６】
（１６）上記した各実施形態以外にも、シャーシにおけるＬＥＤ基板や基板保持部材の設置数や配置などは適宜に変更可能である。同様にＬＥＤ基板におけるＬＥＤ（拡散レンズ）の設置数や配置などは適宜に変更可能である。
【０１３７】
（１７）上記した各実施形態では、ＬＥＤの光出射側に拡散レンズを配したものを示したが、このような拡散レンズを省略した直下型のバックライト装置にも本発明は適用可能である。
【０１３８】
（１８）上記した各実施形態以外にも、ＬＥＤの具体的な構成（例えばＬＥＤチップの主発光波長、使用する蛍光体が発する光の波長範囲、使用する蛍光体の材料名など）は適宜に変更可能である。
【０１３９】
（１９）上記した各実施形態では、ＬＥＤに用いる蛍光体として、１つの色に係る光を発光する蛍光体を１種類のみ使用した場合を例示したが、同色の光を発光する蛍光体を２種類以上使用することも可能である。
【０１４０】
（２０）上記した各実施形態では、カラーフィルタの着色部として、光の三原色である赤色、緑色、青色に黄色を加えたものを示したが、黄色に代えてシアン色の着色部を加えるようにしてもよい。また、シアン色の着色部以外にも、透過光を着色することがない透明部を設けるようにしても構わない。
【０１４１】
（２１）上記した各実施形態以外にも、カラーフィルタを構成する４色の着色部の行方向についての配列順序は、適宜に変更可能である。また、４色の着色部を行方向に沿って並列する配置に限らず、４色の着色部を行列状に並ぶ構成とすることも可能である。
【０１４２】
（２２）上記した各実施形態では、カラーフィルタを構成する４色の着色部の面積比率が異なる構成のものを例示したが、４色の着色部の面積比率を等しくする構成とすることも可能である。
【０１４３】
（２３）上記した各実施形態では、カラーフィルタの着色部を４色とした場合を示したが、赤色、緑色、青色の３色の着色部からなるカラーフィルタを備えたものにも本発明は適用可能である。
【０１４４】
（２４）上記した各実施形態では、光源として白色発光するＬＥＤを用いたものを示したが、例えば、赤色光、緑色光、青色光をそれぞれ単色発光する３種類のＬＥＤを用いることも可能である。
【０１４５】
（２５）上記した各実施形態では、光源としてＬＥＤを用いたものを示したが、有機ＥＬなどの他の光源を用いることも可能である。
【０１４６】
（２６）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１４７】
（２７）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１４８】
（２８）上記した各実施形態では、表示パネルとして液晶パネルを用いた液晶表示装置を例示したが、他の種類の表示パネルを用いた表示装置にも本発明は適用可能である。
【０１４９】
（２９）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１５０】
１０…液晶表示装置（表示装置）、１１…液晶パネル（表示パネル）、１２…バックライト装置（照明装置）、２４…ＬＥＤ（光源）、２５…ＬＥＤ基板（光源基板）、４３…給電基板（給電部材）、５４…給電基板側コネクタ（凸状接続部、給電側接続部）、５５…ＬＥＤ基板側コネクタ（凹状接続部、光源基板側接続部）、５６…枝部、５７…ハウジング、５７ａ…周壁部、５７ａ２，１５７ａ２…側壁部、５８…端子金具、６０…誘導部、ＩＳ…嵌合空間、ＩＳ１…挿入口、ＩＳ２…第１嵌合空間（嵌合空間）、ＩＳ３…第３嵌合空間（嵌合空間）、ＴＶ…テレビ受信装置
【図１】
2013229229.tif 000003
【図２】
2013229229.tif 000004
【図３】
2013229229.tif 000005
【図４】
2013229229.tif 000006
【図５】
2013229229.tif 000007
【図６】
2013229229.tif 000008
【図７】
2013229229.tif 000009
【図８】
2013229229.tif 000010
【図９】
2013229229.tif 000011
【図１０】
2013229229.tif 000012
【図１１】
2013229229.tif 000013
【図１２】
2013229229.tif 000014
【図１３】
2013229229.tif 000015
【図１４】
2013229229.tif 000016
【図１５】
2013229229.tif 000017
【図１６】
2013229229.tif 000018
【図１７】
2013229229.tif 000019
【図１８】
2013229229.tif 000020
【図１９】
2013229229.tif 000021
【図２０】
2013229229.tif 000022
【図２１】
2013229229.tif 000023
【図２２】
2013229229.tif 000024
【図２３】
2013229229.tif 000025
【図２４】
2013229229.tif 000026
【図２５】
2013229229.tif 000027
【図２６】
2013229229.tif 000028
【図２７】
2013229229.tif 000029
【図２８】
2013229229.tif 000030
【図２９】
2013229229.tif 000031
【図３０】
2013229229.tif 000032
【図３１】
2013229229.tif 000033
【図３２】
2013229229.tif 000034
【図３３】
2013229229.tif 000035
【図３４】
2013229229.tif 000036
【図３５】
2013229229.tif 000037